(57)【要約】  本発明は接続管理方法及び装置、コンピュータ記憶媒体を開示し、前記方法は、端末装置の関連情報を検出することと、前記端末装置の関連情報に基づいて前記端末装置と第１転送プレーンとの間の接続パスのタイプを調整するかどうかを確定することと、を含み、前記端末装置と第１転送プレーンとの間の接続パスのタイプは少なくとも前記端末装置がアクセスネットワークによって第１転送プレーンと直接確立する第１種類のパスと、前記端末装置が前記アクセスネットワークによって第２転送プレーンを介して第１転送プレーンと確立する第２種類のパスと、を含む。
2019530334.tif 000002
【特許請求の範囲】
【請求項１】
接続管理方法であって、
端末装置の関連情報を検出することと、
前記端末装置の関連情報に基づいて前記端末装置と第１転送プレーンとの間の接続パスのタイプを調整するかどうかを確定することと、を含み、
前記端末装置と第１転送プレーンとの間の接続パスのタイプは、少なくとも前記端末装置がアクセスネットワークによって第１転送プレーンと直接確立する第１種類のパスと、前記端末装置が前記アクセスネットワークによって第２転送プレーンを介して第１転送プレーンと確立する第２種類のパスと、を含む、前記接続管理方法。
【請求項２】
前記端末装置の関連情報は端末装置の位置及び／又は前記端末装置の現在のサービスタイプを含む
請求項１に記載の方法。
【請求項３】
端末装置の関連情報を検出する前に、前記方法は、更に、
前記端末装置が第１アクセス装置によって前記第１転送プレーンと第１種類のパスを確立することを含み、前記第１アクセス装置に対応するカバレッジ範囲に第２転送プレーンが存在せず、又は前記第１アクセス装置に対応するカバレッジ範囲が第２転送プレーンへのアクセスに適しなく、
前記端末装置の関連情報に基づいて前記端末装置と第１転送プレーンとの間の接続パスのタイプを調整するかどうかを確定することは、
前記端末装置の位置で第２転送プレーンにアクセスできるか、又は前記端末装置の適する第２転送プレーンにアクセスできる場合、前記端末装置と前記第１転送プレーンとの間のパスを第１種類のパスから第２種類のパスに調整することを確定することを含む
請求項１に記載の方法。
【請求項４】
端末装置の関連情報を検出する前に、前記方法は、更に、
前記端末装置が第２アクセス装置によって第２転送プレーンを介して前記第１転送プレーンと第２種類のパスを確立することを含み、前記第２アクセス装置の位置に第２転送プレーンが存在し又は端末装置のアクセスに適する第２転送プレーンが存在し、
前記端末装置の関連情報に基づいて前記端末装置と第１転送プレーンとの間の接続パスのタイプを調整するかどうかを確定することは、
前記端末装置の位置に第２転送プレーンが存在せず又は前記端末装置のアクセスに適する第２転送プレーンが存在しない場合、前記端末装置と前記第１転送プレーンとの間のパスを第２種類のパスから第１種類のパスに調整することを確定することを含む
請求項１に記載の方法。
【請求項５】
端末装置の関連情報を検出する前に、前記方法は、更に、
前記端末装置が第２アクセス装置によって第２転送プレーンを介して前記第１転送プレーンと第２種類のパスを確立することを含み、
前記端末装置の関連情報に基づいて前記端末装置と第１転送プレーンとの間の接続パスのタイプを調整するかどうかを確定することは、
前記端末装置の位置で前記第２転送プレーンにアクセスできない場合、前記端末装置と前記第１転送プレーンとの間のパスを第２種類のパスから第１種類のパスに調整することを確定することを含む
請求項１に記載の方法。
【請求項６】
前記端末装置の関連情報に基づいて前記端末装置と第１転送プレーンとの間の接続パスのタイプを調整するかどうかを確定することは、
前記端末装置の現在のサービスタイプを第１サービスタイプから第２サービスタイプに切り替えた場合、前記端末装置と第１転送プレーンとの間の接続パスを第１種類のパスから第２種類のパスに調整することを確定することを含み、
前記第１サービスタイプが前記第２サービスタイプと異なり、前記第２サービスタイプがローカルサービスをバイパスする必要があるサービスタイプであり、前記第１サービスタイプがローカルサービスをバイパスする必要がないサービスタイプである
請求項１に記載の方法。
【請求項７】
前記端末装置の関連情報に基づいて前記端末装置と第１転送プレーンとの間の接続パスのタイプを調整するかどうかを確定する前に、前記方法は、更に、
前記端末装置が位置している場所で第１種類のパスを介して前記第１転送プレーンと接続を確立することを含み、
前記端末装置の関連情報に基づいて前記端末装置と第１転送プレーンとの間の接続パスのタイプを調整するかどうかを確定することは、
前記端末装置の現在位置に第２転送プレーンが存在し又は端末装置のアクセスに適する第２転送プレーンが存在し、且つ前記端末装置の現在対応するサービスタイプを第１サービスタイプから第２サービスタイプに切り替えると検出した場合、前記端末装置と第１転送プレーンとの間の接続パスを第１種類のパスから第２種類のパスに調整することを確定することを含み、
前記第１サービスタイプが前記第２サービスタイプと異なり、前記第２サービスタイプがローカルサービスをバイパスする必要があるサービスタイプであり、前記第１サービスタイプがローカルサービスをバイパスする必要がないサービスタイプである
請求項１に記載の方法。
【請求項８】
前記方法は、更に、
前記端末装置と第１転送プレーンとの間の接続パスを第１種類のパスから第２種類のパスに調整した後、前記端末装置が最後に第２サービスタイプの情報交換を完了した後から現在時刻までの、第２サービスタイプの情報交換を停止する時間長を検出することと、
前記時間長が所定時間長閾値を超える場合、前記端末装置と第１転送プレーンとの間の接続パスを前記第２種類のパスから第１種類のパスに調整することを確定することと、を含む
請求項３、５、６又は７に記載の方法。
【請求項９】
前記方法は、更に、
前記端末装置と前記第１転送プレーンとの間のパスを第１種類のパスから第２種類のパスに調整する必要があることを確定する場合、前記端末装置のために対応する第２転送プレーンを選択し、第２転送プレーンの識別情報を第１転送プレーンのダウンリンクトンネル情報として第１転送プレーンに送信して、前記第２転送プレーンの識別情報をアクセス側のアップリンクトンネル情報としてアクセスネットワーク側に送信することにより、前記端末装置が前記第２転送プレーンを介して前記第１転送プレーンに接続する第２種類のパスを確立することと、
前記端末装置と前記第１転送プレーンとの間のパスを第２種類のパスから第１種類のパスに調整する必要があることを確定する場合、アクセスネットワークに対応する識別情報を第１転送プレーンに通知し、前記第１転送プレーンの識別情報を前記アクセスネットワークに通知することにより、前記端末装置と前記第１転送プレーンとの間の第１種類のパスを確立することと、を含む
請求項２〜７のいずれか１項に記載の方法。
【請求項１０】
接続管理装置であって、
端末装置の関連情報を検出する情報取得ユニットと、
前記端末装置の関連情報に基づいて前記端末装置と第１転送プレーンとの間の接続パスのタイプを調整するかどうかを確定するパス調整ユニットと、を含み、
前記端末装置と第１転送プレーンとの間の接続パスのタイプは、少なくとも前記端末装置がアクセスネットワークによって第１転送プレーンと直接確立する第１種類のパスと、前記端末装置が前記アクセスネットワークによって第２転送プレーンを介して第１転送プレーンと確立する第２種類のパスと、を含む、前記接続管理装置。
【請求項１１】
前記端末装置の関連情報は端末装置の位置及び／又は前記端末装置の現在のサービスタイプを含む
請求項１０に記載の接続管理装置。
【請求項１２】
前記接続管理装置は、更に、
前記端末装置が第１アクセス装置によって前記第１転送プレーンと第１種類のパスを確立することを確定するパス管理ユニットを含み、前記第１アクセス装置に対応するカバレッジ範囲に第２転送プレーンが存在せず、又は前記第１アクセス装置に対応するカバレッジ範囲が第２転送プレーンへのアクセスに適しなく、
前記パス調整ユニットは、前記端末装置の現在位置で第２転送プレーンにアクセスできるか、又は前記端末装置の適する第２転送プレーンにアクセスできる場合、前記端末装置と前記第１転送プレーンとの間のパスを第１種類のパスから第２種類のパスに調整することを確定する
請求項１０に記載の接続管理装置。
【請求項１３】
前記接続管理装置は、更に、
前記端末装置が第２アクセス装置によって前記第１転送プレーンと第２種類のパスを確立することを確定するパス管理ユニットを含み、前記第２アクセス装置の位置に第２転送プレーンが存在し又は端末装置のアクセスに適する第２転送プレーンが存在し、
前記パス調整ユニットは、前記端末装置の現在位置に第２転送プレーンが存在せず又は前記端末装置のアクセスに適する第２転送プレーンが存在しない場合、前記端末装置と前記第１転送プレーンとの間のパスを第２種類のパスから第１種類のパスに調整することを確定する
請求項１０に記載の接続管理装置。
【請求項１４】
前記接続管理装置は、更に、
前記端末装置が第２アクセス装置によって第２転送プレーンを介して前記第１転送プレーンと第２種類のパスを確立することを確定するパス管理ユニットを含み、
前記パス調整ユニットは、前記端末装置の現在位置で前記第２転送プレーンにアクセスできない場合、前記端末装置と前記第１転送プレーンとの間のパスを第２種類のパスから第１種類のパスに調整することを確定する
請求項１０に記載の接続管理装置。
【請求項１５】
パス調整ユニットは、前記端末装置に対応するサービスタイプを第１サービスタイプから第２サービスタイプに切り替えた場合、前記端末装置と第１転送プレーンとの間の接続パスを第１種類のパスから第２種類のパスに調整することを確定し、
前記第１サービスタイプが前記第２サービスタイプと異なり、前記第２サービスタイプがローカルサービスをバイパスする必要があるサービスタイプであり、前記第１サービスタイプがローカルサービスをバイパスする必要がないサービスタイプである
請求項１０に記載の接続管理装置。
【請求項１６】
前記接続管理装置は、更に、
前記端末装置が位置している場所で第１種類のパスを介して前記第１転送プレーンと接続を確立することを確定するパス管理ユニットを含み、
前記パス調整ユニットは、前記端末装置の現在位置に第２転送プレーンが存在し又は端末装置のアクセスに適する第２転送プレーンが存在し、且つ前記端末装置の現在対応するサービスタイプを第１サービスタイプから第２サービスタイプに切り替えると検出した場合、前記端末装置と第１転送プレーンとの間の接続パスを第１種類のパスから第２種類のパスに調整することを確定し、
前記第１サービスタイプが前記第２サービスタイプと異なり、前記第２サービスタイプがローカルサービスをバイパスする必要があるサービスタイプであり、前記第１サービスタイプがローカルサービスをバイパスする必要がないサービスタイプである
請求項１０に記載の接続管理装置。
【請求項１７】
前記パス調整ユニットは、前記端末装置と第１転送プレーンとの間の接続パスを第１種類のパスから第２種類のパスに調整した後、前記端末装置が最後に第２サービスタイプの情報交換を完了した後から現在時刻までの、第２サービスタイプの情報交換を停止する時間長を検出し、前記時間長が所定時間長閾値を超える場合、前記端末装置と第１転送プレーンとの間の接続パスを前記第２種類のパスから第１種類のパスに調整することを確定する
請求項１２、１４、１５又は１６に記載の接続管理装置。
【請求項１８】
前記パス管理ユニットは、前記端末装置と前記第１転送プレーンとの間のパスを第１種類のパスから第２種類のパスに調整する必要があることを確定する場合、前記端末装置のために対応する第２転送プレーンを選択し、第２転送プレーンの識別情報を第１転送プレーンのダウンリンクトンネル情報として第１転送プレーンに送信して、前記第２転送プレーンの識別情報をアクセス側のアップリンクトンネル情報としてアクセスネットワーク側に送信することにより、前記端末装置が前記第２転送プレーンを介して前記第１転送プレーンに接続する第２種類のパスを確立し、
前記端末装置と前記第１転送プレーンとの間のパスを第２種類のパスから第１種類のパスに調整する必要があることを確定する場合、アクセスネットワークに対応する識別情報を第１転送プレーンに通知し、前記第１転送プレーンの識別情報を前記アクセスネットワークに通知することにより、前記端末装置と前記第１転送プレーンとの間の第１種類のパスを確立する
請求項１２〜１６のいずれか１項に記載の接続管理装置。
【請求項１９】
接続管理装置であって、
端末装置の関連情報を検出する通信インターフェースと、
前記端末装置の関連情報に基づいて前記端末装置と第１転送プレーンとの間の接続パスのタイプを調整するかどうかを確定するプロセッサと、を備え、
前記端末装置と第１転送プレーンとの間の接続パスのタイプは、少なくとも前記端末装置がアクセスネットワークによって第１転送プレーンと直接確立する第１種類のパスと、前記端末装置が前記アクセスネットワークによって第２転送プレーンを介して第１転送プレーンと確立する第２種類のパスと、を含む、前記接続管理装置。
【請求項２０】
前記端末装置の関連情報は端末装置の位置及び／又は前記端末装置の現在のサービスタイプを含む
請求項１９に記載の接続管理装置。
【請求項２１】
前記プロセッサは、前記端末装置が第１アクセス装置によって前記第１転送プレーンと第１種類のパスを確立することを確定し、前記第１アクセス装置に対応するカバレッジ範囲に第２転送プレーンが存在せず、又は前記第１アクセス装置に対応するカバレッジ範囲が第２転送プレーンへのアクセスに適しなく、
前記端末装置の現在位置で第２転送プレーンにアクセスできるか、又は前記端末装置の適する第２転送プレーンにアクセスできる場合、前記端末装置と前記第１転送プレーンとの間のパスを第１種類のパスから第２種類のパスに調整することを確定する
請求項１９に記載の接続管理装置。
【請求項２２】
前記プロセッサは、前記端末装置が第２アクセス装置によって前記第１転送プレーンと第２種類のパスを確立することを確定し、前記第２アクセス装置の位置に第２転送プレーンが存在し又は端末装置のアクセスに適する第２転送プレーンが存在し、
前記端末装置の現在位置に第２転送プレーンが存在せず又は前記端末装置のアクセスに適する第２転送プレーンが存在しない場合、前記端末装置と前記第１転送プレーンとの間のパスを第２種類のパスから第１種類のパスに調整することを確定する
請求項１９に記載の接続管理装置。
【請求項２３】
前記プロセッサは、前記端末装置が第２アクセス装置によって第２転送プレーンを介して前記第１転送プレーンと第２種類のパスを確立することを確定し、
前記端末装置の現在位置で前記第２転送プレーンにアクセスできない場合、前記端末装置と前記第１転送プレーンとの間のパスを第２種類のパスから第１種類のパスに調整することを確定する
請求項１９に記載の接続管理装置。
【請求項２４】
プロセッサは、前記端末装置に対応するサービスタイプを第１サービスタイプから第２サービスタイプに切り替えた場合、前記端末装置と第１転送プレーンとの間の接続パスを第１種類のパスから第２種類のパスに調整することを確定し、
前記第１サービスタイプが前記第２サービスタイプと異なり、前記第２サービスタイプがローカルサービスをバイパスする必要があるサービスタイプであり、前記第１サービスタイプがローカルサービスをバイパスする必要がないサービスタイプである
請求項１９に記載の接続管理装置。
【請求項２５】
前記プロセッサは、前記端末装置が位置している場所で第１種類のパスを介して前記第１転送プレーンと接続を確立することを確定し、
前記端末装置の現在位置に第２転送プレーンが存在し又は端末装置のアクセスに適する第２転送プレーンが存在し、且つ前記端末装置の現在対応するサービスタイプを第１サービスタイプから第２サービスタイプに切り替えると検出した場合、前記端末装置と第１転送プレーンとの間の接続パスを第１種類のパスから第２種類のパスに調整することを確定し、
前記第１サービスタイプが前記第２サービスタイプと異なり、前記第２サービスタイプがローカルサービスをバイパスする必要があるサービスタイプであり、前記第１サービスタイプがローカルサービスをバイパスする必要がないサービスタイプである
請求項１９に記載の接続管理装置。
【請求項２６】
前記プロセッサは、第１転送プレーンとの間の接続パスを第１種類のパスから第２種類のパスに調整した後、前記端末装置が最後に第２サービスタイプの情報交換を完了した後から現在時刻までの、第２サービスタイプの情報交換を停止する時間長を検出し、前記時間長が所定時間長閾値を超える場合、前記端末装置と第１転送プレーンとの間の接続パスを前記第２種類のパスから第１種類のパスに調整することを確定する
請求項２１、２３、２４又は２５に記載の接続管理装置。
【請求項２７】
前記プロセッサは、前記端末装置と前記第１転送プレーンとの間のパスを第１種類のパスから第２種類のパスに調整する必要があることを確定する場合、前記端末装置のために対応する第２転送プレーンを選択し、第２転送プレーンの識別情報を第１転送プレーンのダウンリンクトンネル情報として第１転送プレーンに送信して、前記第２転送プレーンの識別情報をアクセス側のアップリンクトンネル情報としてアクセスネットワーク側に送信することにより、前記端末装置が前記第２転送プレーンを介して前記第１転送プレーンに接続する第２種類のパスを確立し、
前記端末装置と前記第１転送プレーンとの間のパスを第２種類のパスから第１種類のパスに調整する必要があることを確定する場合、アクセスネットワークに対応する識別情報を第１転送プレーンに通知し、前記第１転送プレーンの識別情報を前記アクセスネットワークに通知することにより、前記端末装置と前記第１転送プレーンとの間の第１種類のパスを確立する
請求項２１〜２５のいずれか１項に記載の接続管理装置。
【請求項２８】
接続管理装置であって、
プロセッサと、プロセッサで実行できるコンピュータプログラムを記憶するためのメモリと、を備え、
前記プロセッサは前記コンピュータプログラムを実行するとき、請求項１〜９のいずれか１項に記載の方法のステップを実行することに用いられる、前記接続管理装置。
【請求項２９】
コンピュータ記憶媒体であって、
前記コンピュータ記憶媒体にコンピュータ実行可能な命令が記憶され、前記コンピュータ実行可能な命令が実行されるとき、請求項１〜９のいずれか１項に記載の方法のステップを実現する、前記コンピュータ記憶媒体。
【発明の詳細な説明】
【技術分野】
【０００１】
本発明は通信分野における接続管理技術に関し、特に接続管理方法及び装置、コンピュータ記憶媒体に関する。
【０００２】
関連出願の相互参照．
本願は、２０１６年１０月１１日に提出した中国特許出願第２０１６１０８８９２９１．３号の優先権を主張し、ここで、該中国特許出願に開示される全内容が本願の一部として援用される。
【背景技術】
【０００３】
モバイルネットワークアーキテクチャでは、コアネットワークのネットワーク要素（又はネットワーク機能）は制御プレーン及びユーザプレーンという２つの部分の機能からなる。従来のネットワークアーキテクチャ、例えば３Ｇ／４Ｇネットワークでは、ユーザプレーンゲートウェイは常にユーザから遠く離れたコア層に集中配備されている。モバイルネットワークは低遅延、広帯域シーンを実現するために、４Ｇネットワークアーキテクチャの最適化又は５Ｇネットワークの新アーキテクチャの設計において、ユーザプレーンの機能を分散し、ネットワークエッジに配備し、それにより伝送遅延を低減し、バックホールの伝送負荷を軽減する。
【発明の概要】
【発明が解決しようとする課題】
【０００４】
従来技術において、従来のエッジサービスのバイパスを実現する技術案はマルチセッション（接続）考案及びシングルセッション（又は接続）考案を含む。しかしながら、上記２つの接続案としては、端末装置が複数のセッション接続を維持するために、過多の設定情報を維持する必要があったり、コア側のＰＤＮネットワークにアクセスするデータにとって、ネットワークの処理複雑性及び遅延を増加させたりしている。このため、エッジサービスをバイパスする従来技術におけるネットワークアーキテクチャは柔軟に調整できず、且つ端末装置側の設定処理の簡素化を保証することができない。
【０００５】
従来技術の上記問題を解決するために、本発明の主な目的は接続管理方法及び装置、コンピュータ記憶媒体を提供することである。
【課題を解決するための手段】
【０００６】
上記目的を実現するために、本発明は接続管理方法を提供し、前記方法は、
端末装置の関連情報を検出することと、
前記端末装置の関連情報に基づいて前記端末装置と第１転送プレーンとの間の接続パスのタイプを調整するかどうかを確定することと、を含み、
前記端末装置と第１転送プレーンとの間の接続パスのタイプは少なくとも前記端末装置がアクセスネットワークによって第１転送プレーンと直接確立する第１種類のパスと、前記端末装置が前記アクセスネットワークによって第２転送プレーンを介して第１転送プレーンと確立する第２種類のパスと、を含む。
【０００７】
本発明の実施例は接続管理装置を提供し、
端末装置の関連情報を検出する情報取得ユニットと、
前記端末装置の関連情報に基づいて前記端末装置と第１転送プレーンとの間の接続パスのタイプを調整するかどうかを確定するパス調整ユニットと、を含み、
前記端末装置と第１転送プレーンとの間の接続パスのタイプは少なくとも前記端末装置がアクセスネットワークによって第１転送プレーンと直接確立する第１種類のパスと、前記端末装置が前記アクセスネットワークによって第２転送プレーンを介して第１転送プレーンと確立する第２種類のパスと、を含む。
【０００８】
本発明の実施例は接続管理装置を提供し、前記接続管理装置は、
端末装置の関連情報を検出する通信インターフェースと、
前記端末装置の関連情報に基づいて前記端末装置と第１転送プレーンとの間の接続パスのタイプを調整するかどうかを確定するプロセッサと、を備え、
前記端末装置と第１転送プレーンとの間の接続パスのタイプは少なくとも前記端末装置がアクセスネットワークによって第１転送プレーンと直接確立する第１種類のパスと、前記端末装置が前記アクセスネットワークによって第２転送プレーンを介して第１転送プレーンと確立する第２種類のパスと、を含む。
【０００９】
本願は接続管理装置を提供し、プロセッサと、プロセッサで実行できるコンピュータプログラムを記憶するためのメモリと、を備え、
前記プロセッサは前記コンピュータプログラムを実行するとき、上記方法のステップを実行することに用いられる。
【００１０】
本願はコンピュータ記憶媒体を提供し、前記コンピュータ記憶媒体にコンピュータ実行可能な命令が記憶され、前記コンピュータ実行可能な命令が実行されるとき、上記方法のステップを実現する。
【発明の効果】
【００１１】
本発明に係る接続管理方法及び装置、コンピュータ記憶媒体は、少なくとも端末装置の移動できる位置に対応するアクセスネットワークに基づいて、端末装置と第１転送プレーンとの間のパスのタイプを調整するかどうかを確定することができ、具体的には、パスタイプは第１転送プレーンに直接接続する第１種類のパスと、第２転送プレーンを介して第１転送プレーンに接続する第２種類のパスと、を含むことが可能である。このように、ネットワークアーキテクチャの柔軟性及び高効率を実現することができ、ローカルバイパスを行わないとき、最小のホップカウントでゲートウェイ処理を実現し、しかもネットワーク側のみでパスタイプの設定を行うだけでよく、端末装置側が多くの設定を必要とせず、エッジネットワークデータのアクセスを実現することができる。
【図面の簡単な説明】
【００１２】
【図１】本発明の実施例の接続管理方法のフローチャート１である。
【図２】本発明の実施例の処理シーンの模式図１である。
【図３】本発明の実施例の処理シーンの模式図２である。
【図４ａ】は本発明の実施例の第１種類のパスの模式図である。
【図４ｂ】は本発明の実施例の第２種類のパスの模式図である。
【図５】本発明の実施例の処理シーンの模式図２である。
【図６】本発明の実施例の接続管理方法のフローチャート２である。
【図７】本発明の実施例の接続管理方法のフローチャート３である。
【図８】本発明の実施例の接続管理方法のフローチャート４である。
【図９】本発明の実施例の接続管理方法のフローチャート５である。
【図１０】本発明の実施例の接続管理方法のフローチャート６である。
【図１１】本発明の実施例の接続管理方法のフローチャート７である。
【図１２】本発明の実施例の接続管理装置の要部構成の模式図１である。
【図１３】本発明の実施例の接続管理装置の要部構成の模式図２である。
【発明を実施するための形態】
【００１３】
以下、図面及び具体的な実施例を参照しながら本発明を更に詳しく説明する。
【実施例１】
【００１４】
本発明の実施例は接続管理装置に適用される接続管理方法を提供し、
端末装置の関連情報を検出することと、
前記端末装置の関連情報に基づいて前記端末装置と第１転送プレーンとの間の接続パスのタイプを調整するかどうかを確定することと、を含み、
前記端末装置と第１転送プレーンとの間の接続パスのタイプは少なくとも前記端末装置がアクセスネットワークによって第１転送プレーンと直接確立する第１種類のパスと、前記端末装置が前記アクセスネットワークによって第２転送プレーンを介して第１転送プレーンと確立する第２種類のパスと、を含む。
【００１５】
前記端末装置の関連情報は端末装置の位置及び／又は前記端末装置の現在のサービスタイプを含む。
【００１６】
具体的には、図１に示すように、
端末装置の位置及び／又は前記端末装置の現在のサービスタイプを検出するステップ１０１と、
前記端末装置の位置及び／又は前記端末装置の現在のサービスタイプに基づいて前記端末装置と第１転送プレーンとの間の接続パスのタイプを調整するかどうかを確定するステップ１０２と、を含み、
前記端末装置と第１転送プレーンとの間の接続パスのタイプは少なくとも前記端末装置がアクセスネットワークによって第１転送プレーンと直接確立する第１種類のパスと、前記端末装置が前記アクセスネットワークによって第２転送プレーンを介して第１転送プレーンと確立する第２種類のパスと、を含む。
【００１７】
ここで、前記接続管理装置は主にコアネットワークに設置され、具体的に、１つのモジュールがコアネットワークにおけるあるデバイスに設置され手もよく、例えば、コアネットワークにおけるＭＭＥに設置されるように実現されてもよい。前記第１転送プレーンがコアユーザプレーンであり、第２転送プレーンがエッジユーザプレーンである。
【００１８】
更に、端末装置の位置及び／又は前記端末装置の現在のサービスタイプの検出は端末装置の位置の取得、例えば前記端末装置の現在の移動後の位置、即ち前記端末装置の前記現在位置の取得であり、具体的な方式は、前記端末装置の現在アクセスしようとする目標アクセス装置を検出し、該目標アクセス装置の識別情報（例えばアクセス装置のＩＤ番号）を取得することと、前記目標アクセス装置の識別情報に基づいて前記アクセス装置に対応するエリアを確定する（例えば、コアネットワーク側がアクセス装置の識別情報によって前記アクセス装置に対応するエリアコードを確定することができる）ことと、前記アクセス装置に対応するエリアに基づいて前記端末装置の現在位置を確定することと、を含んでもよい。
【００１９】
前記アクセス装置は基地局であってもよいし、アクセスポイント（ＡＰ）等の端末装置に直接アクセス方式を提供するための装置であってもよい。
【００２０】
具体的に、上記の考案には、二つのトリガーケースがあり得、第１種類のトリガーケースは、端末装置の位置の変化に応じて、端末装置がローカルサービスをバイパスできるアクセスネットワークに位置しているかどうかを判断することにより、端末装置のパスのタイプを調整するかどうかを確定することであり、第２種類のトリガーケースは、端末装置にローカルサービスをバイパスするニーズがあるか、又はサービスデータ伝送パスを最適化するニーズがあるかどうかによって、端末装置がパスタイプの調整を行うかどうかを判断する。
【００２１】
本実施例は主に上記の第１種類のトリガーケースに関するものであり、端末がセッション接続を行うとき、デフォルトで１つのみのコア側のゲートウェイに向けるセッション接続を確立し、ＵＥがローカルバイパスをサポートできるゲートウェイの範囲内に移動したとき、制御プレーンによって新しいトンネルの確立を開始し、それにより該ＥＧＷを既存のセッションに加入し、つまり第１種類のパスから第２種類のパスに切り替えることであり、端末がＥＧＷのカバレッジ範囲から離れた（アクセスネットワークにＥＧＷを含まない）とき、制御プレーンは新しいトンネル確立メカニズムをトリガーして、ＥＧＷをセッションパスから削除し、第２種類のパスを削除して第１種類のパスを確立することができる。
【００２２】
シーン１
前記端末装置の位置を取得する前に、前記方法は、更に、
前記端末装置が第１アクセス装置によって前記第１転送プレーンと第１種類のパスを確立することを含み、前記第１アクセス装置が前記端末装置の現在位置でアクセスしようとする目標アクセス装置と異なり、前記第１アクセス装置に対応するカバレッジ範囲に第２転送プレーンが存在せず、又は前記第１アクセス装置に対応するカバレッジ範囲が第２転送プレーンへのアクセスに適していなく、
それに対応して、少なくとも前記端末装置の位置に対応するアクセスネットワークに基づいて前記端末装置と第１転送プレーンとの間の接続パスのタイプを調整するかどうかを確定することは、
前記端末装置の現在位置で第２転送プレーン（つまりエッジ側ユーザプレーン）にアクセスできるか、又は前記端末装置の適する第２転送プレーンにアクセスできる場合、前記端末装置と前記第１転送プレーンとの間のパスを第１種類のパスから第２種類のパスに調整することを確定することを含む。つまり、コアネットワーク側は端末装置の現在位置（例えばエリアコード）に基づいて、該位置にローカルサービスアクセスパスを最適化できるエッジ側ユーザプレーン（第２転送プレーン）が存在するかどうかを確定することができる。
【００２３】
本実施例の処理シーンを図２に示し、端末装置、例えばＵＥがアクセスネットワーク１からアクセスネットワーク２へ移動した場合、アクセスネットワーク１に対応しているのは、第１アクセス装置であり、アクセスネットワーク２に対応しているのは、ＵＥのアクセスしようとする目標アクセス装置に対応するアクセスネットワークであり、それに対応して、ＵＥがアクセスネットワーク１に位置するとき、接続管理装置はＵＥが現在第１種類のパスを用い、つまり、図示のように、アクセスネットワーク１によって第１転送プレーン（例えば図中のコアゲートウェイ（ＣＧＷ））にアクセスすることを確定し、最終的にコアネットワーク（具体的に、コア公衆データ網（ＰＤＮ：Ｐｕｂｌｉｃ  Ｄａｔａ  Ｎｅｔｗｏｒｋ）ネットワークであってもよい）によってデータ処理を行い、また、ＵＥがアクセスネットワーク２、即ちアクセスしようとする目標アクセス装置の所在するネットワークに移動したとき、ネットワーク側、具体的に接続管理装置がＵＥとコアネットワークとの間のパスのタイプを切り替え、第２種類のパスに切り替え、つまり第２転送プレーン（例えば、エッジゲートウェイＥＧＷ）とコアゲートウェイＣＧＷとが確立した接続によって、第２種類のパスを介してローカルバイパスする必要があるサービスの一部をエッジＰＤＮネットワークにバイパスし、他のコアＰＤＮネットワークによって処理すべきサービスをＣＧＷによってコアＰＤＮネットワークに送信して処理させることができる。
【００２４】
上記第１アクセス装置が前記端末装置の現在位置でアクセスしようとする目標アクセス装置と異なり、具体的には、図３に示すように、端末装置の第１位置３１はアクセスネットワーク１であってもよく、即ち第１アクセス装置のカバレッジ範囲内の一箇所であり、端末装置の移動に伴い、現在位置３２まで移動し、（端末装置が移動するが、移動後に依然としてアクセスネットワーク１に位置する可能性があり、アクセスネットワーク２に位置してもよく、本実施例は主にアクセスネットワークが変化したシーンすなわち図３に示すシーンを説明すると理解すべきである）、位置３２がアクセスネットワーク２、すなわち端末装置のアクセスしようとする目標アクセス装置の所在するネットワークに位置し、更に説明すると、アクセスネットワーク１に第２転送プレーン（例えば、図中のエッジゲートウェイＥＧＷ）が存在せず、又はアクセスネットワーク１が第２転送プレーンへのアクセスに適しておらず、つまり、アクセスネットワーク１がローカルサービスバイパスを提供できず、アクセスネットワーク２にはローカルサービスアクセスパスを最適化できる第２転送プレーン（例えば、図中のエッジゲートウェイＥＧＷ）が存在し、つまり、アクセスネットワーク２がローカルサービスバイパスを提供できる場合、端末装置の所在するアクセスネットワークの違いに応じて、端末装置とコアネットワークとが接続を確立するタイプを調整することができる。
【００２５】
該シーンでは、端末装置が初回にネットワークにアクセスするとき、接続管理装置は端末装置の所在するアクセスネットワークに第２転送プレーン（例えば、エッジ側ユーザプレーン、又はエッジゲートウェイ）が存在するかどうかによって、端末装置の初回確立したパスタイプを確定することができ、アクセスネットワークに第２転送プレーンが存在せず、又はアクセスネットワークが第２転送プレーンへのアクセスに適しない場合、端末装置が初回ネットワークにアクセスするとき、第１種類のパスを確立し、図４ａに示すように、コアゲートウェイと接続を直接確立し、アクセスネットワークにエッジゲートウェイが存在する場合、端末装置が初回ネットワークにアクセスするとき、図４ｂに示される第２種類のパスを確立し、エッジゲートウェイを介してコアゲートウェイと接続を確立し、具体的には、エッジゲートウェイを介してローカルネットワークにアクセスしてサービスをバイパスして、サービスの一部をコアゲートウェイにルーティングすることによりコアネットワーク、例えばデータネットワークによってデータ処理を行うと理解すべきである。
【００２６】
端末装置例えばＵＥが新しい位置に移動した後、制御プレーン（すなわち接続管理装置）はアクセスネットワークの現在位置を取得し、現在第２転送プレーンが存在するかどうかを判断し、第２転送プレーンが存在する場合、制御プレーンが現在アクセスネットワークの識別子（例えば、アクセス基地局のＩＤ又は位置エリア情報例えばＴＡ）によって第２転送プレーン情報（例えばそのＩＰアドレス）を取得し、対応するトンネルを確立する。
【００２７】
前記端末装置と前記第１転送プレーンとの間のパスを第１種類のパスから第２種類のパスに調整する必要があることを確定する場合、前記端末装置のために対応する第２転送プレーンを選択し、第２転送プレーンの識別情報を第１転送プレーンのダウンリンクトンネル情報として第１転送プレーンに送信して、前記第２転送プレーンの識別情報をアクセス側のアップリンクトンネル情報としてアクセスネットワーク側に送信することにより、前記端末装置がアクセス装置（所在位置でアクセスしようとする目標アクセス装置に対応するアクセスネットワーク）によって前記第２転送プレーンを介して前記第１転送プレーンに接続する第２種類のパスを確立する。
【００２８】
つまり、第１種類のパスを第２種類のパスに調整することを確定した後、更にパスのタイプの調整を行うように端末装置に通知して、チャネルにデバイスのアクセスしようとする第２転送プレーンに通知する必要がある。
【００２９】
具体的には、端末装置が接続状態で移動した場合、切替メッセージにおいて、第２転送プレーン例えばエッジゲートウェイ（ＥＧＷ）を基地局とコア側ゲートウェイ（ＣＧＷ）トンネルの相手側とすることは、
ＥＧＷダウンリンクトンネルのＩＰアドレスとトンネルＩＤをＣＧＷのダウンリンクトンネルエンドポイントとするようにＣＧＷに通知することと、ＥＧＷアップリンクトンネルのＩＰアドレスとトンネルＩＤをアクセスネットワークのアップリンクトンネルエンドポイントとするようにアクセスネットワークに通知することと、を含んでもよい。
【００３０】
端末装置がアイドル（ＩＤＬＥ）モードで非ＭＥＣエリアからＭＥＣエリアに移動した場合、ＵＥがサービスを能動的に開始し又はダウンリンクデータがネットワークに到達してページングを行った後、ＵＥがセッション確立を開始するようにトリガーするとき、ネットワークが現在位置に基づいて接続を更新するかどうかを判断する。接続を更新する必要がある場合、制御プレーンがＣＧＷとアクセスネットワーク（ＡＮ：Ａｃｃｅｓｓ  Ｎｅｔｗｏｒｋ）との間のトンネルを新規作成せずに、１つのＡＮ、ＥＧＷ、ＣＧＷ間のトンネルを作成する。
【００３１】
シーン２
シーン１との相違点は、シーン１では、第１種類のパスを第２種類のパスに調整することを説明したが、該シーンでは第２種類のパスを第１種類のパスに調整することを説明することである。
前記端末装置が第２アクセス装置によって前記第１転送プレーンと第２種類のパスを確立し、前記第２アクセス装置が前記端末装置の現在位置でアクセスしようとする目標アクセス装置と異なり、前記第２アクセス装置が第２転送プレーンが存在し又は端末装置のアクセスに適する第２転送プレーンが存在する場所に位置し、
前記端末装置の現在位置に第２転送プレーンが存在せず又は前記端末装置のアクセスに適する第２転送プレーンが存在しない場合、前記端末装置と前記第１転送プレーンとの間のパスを第２種類のパスから第１種類のパスに調整することを確定する。
【００３２】
前記第２アクセス装置が前記端末装置の現在位置でアクセスしようとする目標アクセス装置と異なり、具体的には、図５に示すように、端末装置の第２位置５１は第２アクセス装置のアクセスネットワーク１内の一箇所であってもよく、端末装置の移動に伴い、現在位置５２まで移動し、（端末装置が移動するが、移動後に依然としてアクセスネットワーク１に位置する可能性があり、アクセスネットワーク２に位置してもよく、本実施例は主にアクセスネットワークが変化したシーンすなわち図示のシーンを説明すると理解すべきである）、位置５２がアクセスネットワーク２に位置し、アクセスネットワーク２に対応するのは端末装置のアクセスしようとする目標アクセス装置であり、更に、アクセスネットワーク１に第２転送プレーン（例えば、図中のエッジゲートウェイＥＧＷ）が存在し、つまり、アクセスネットワーク１がローカルサービスバイパスを提供でき、アクセスネットワーク２が第２転送プレーン（例えば、図中のエッジゲートウェイＥＧＷ）を有せず又は第２転送プレーンへのアクセスに適しておらず、つまり、アクセスネットワーク２がローカルサービスバイパスを提供できない場合、端末装置の所在するアクセスネットワークの違いに応じて、端末装置を第２種類のパスから第１種類のパスに調整する必要がある。
【００３３】
前記端末装置と前記第１転送プレーンとの間のパスを第２種類のパスから第１種類のパスに調整する必要があることを確定した後、アクセスネットワークに対応する識別情報を第１転送プレーンに通知し、前記第１転送プレーンの識別情報を前記アクセスネットワークに通知することにより、前記端末装置と前記第１転送プレーンとの間の第１種類のパスを確立する。
【００３４】
端末装置が新しい位置に移動した後、アクセスネットワークの現在位置によって、制御プレーンが現在セッションの第２転送プレーンを必要としないと判断する場合、その接続更新に中間ＥＧＷ情報を含まず、ユーザプレーンのデータチャネルがＡＮとＣＧＷとの直接通信となる。
【００３５】
具体的には、接続状態で、ＭＥＣエリアからＭＥＣ外部エリアまでの切替メッセージが発生するとき、直接アクセスネットワークとＣＧＷとを相手のトンネル相手側とし、つまり、アクセスネットワークに対応するトンネルＩＤとＩＰをＣＧＷのダウンリンクトンネルエンドポイントとしてＣＧＷに通知し、ＣＧＷトンネルのＩＰアドレスとトンネルＩＤをアクセスネットワークのアップリンクトンネルエンドポイントとしてアクセスネットワークに通知する。
【００３６】
ＵＥがアイドル状態でＭＥＣ以外のエリアに移動した場合、ネットワークが位置更新によってＥＧＷとＣＧＷとの間のユーザプレーントンネルを更に解放し、次回端末がアイドルからＡｃｔｉｖｅになるとき、新しいトンネルがＡＮとＣＧＷとの直接の１ホップのトンネルである。
【００３７】
シーン３
シーン２との相違点は、該シーンでは、端末装置が元の第２転送プレーンと接続を確立する位置に位置しないとき、第１種類のパスに切り替えるという第１種類のパスに切り替える判断方式を提供することである。
【００３８】
端末装置の現在位置を取得する前に、前記方法は、更に、
前記端末装置が第２アクセス装置によって第２転送プレーンを介して前記第１転送プレーンと第２種類のパスを確立することを含み、前記第２アクセス装置が前記端末装置の現在位置でアクセスしようとする目標アクセス装置と異なり、
それに対応して、前記端末装置の現在位置及び／又は前記端末装置の現在のサービスタイプに基づいて前記端末装置と第１転送プレーンとの間の接続パスのタイプを調整するかどうかを確定することは、
前記端末装置の現在位置で前記第２転送プレーンにアクセスできない場合、前記端末装置と前記第１転送プレーンとの間のパスを第２種類のパスから第１種類のパスに調整することを確定することを含む。
【００３９】
第２転送プレーンにアクセスできるかどうかを判断する方式は、コアネットワーク側に保存される各第２転送プレーンに対応する物理位置によって確定されてもよく、端末装置の前記現在位置例えばエリアコードに対応するカバレッジ範囲が第２転送プレーンを含まない場合、現在第２種類のパスに継続接続できないことを確定することができ、従って第１種類のパスを調整する。
【００４０】
更に、上記端末装置の現在位置でアクセスしようとする目標アクセス装置の確定方式は、端末装置が切替中で切替プロセスによって端末装置のネットワーク側へ送信できる、アクセス装置にアクセスできる複数の切替要求を取得し、最終的に端末装置のために１つの目標アクセス装置、即ち本実施例に記載の端末装置の前記現在位置でアクセスしようとする目標アクセス装置を選択するということであってもよい。
【００４１】
以下、それぞれ図面を参照しながら本実施例に係る端末装置の位置及びアクセスネットワークに基づいてパスのタイプの調整を行う例を説明する。
【００４２】
例１
端末が移動するため、第２転送プレーン（例えば、図中のエッジゲートウェイＥＧＷ）の動的加入が発生する場合、図６に示すように、そのプロセスは以下のとおりである。
【００４３】
１、端末（ＵＥ）が元アクセスネットワークノード１、ＣＧＷを介してコアＰＤＮネットワークに到達するデータ伝送チャネルを既に確立しており、つまり第１種類のパスを既に確立している。
【００４４】
２、端末がアクセスネットワークノード２のカバレッジ範囲に移動した場合、アクセスネットワークノード２が制御プレーンに対して切替要求を開始する。この切替要求にアクセスネットワークノード２の位置に関する情報を含む。該実施例では、アクセスネットワークノード２がアクセスしようとする目標アクセス装置である。
【００４５】
３、制御プレーン（具体的に、例えば、接続管理装置）はアクセスネットワークノード２の位置に関する情報によって該エリアにＥＧＷを配備したかどうかを判断する。ＥＧＷが配備されている場合、位置に関する情報、負荷分散等のポリシーに基づいて１つの適切なＥＧＷを選択してローカルバイパスを実現する。制御プレーンがＣＧＷへトンネル更新要求（例えば、パス更新要求であってもよい）を送信し、該ＥＧＷのＩＰアドレスとトンネルＩＤをＣＧＷのダウンリンクトンネルのエンドポイントとする。
【００４６】
４、制御プレーンがアクセスネットワークノード２（すなわちＵＥのアクセスしようとする目標アクセス装置）へトンネル更新要求を送信し、該ＥＧＷのＩＰアドレスとトンネルＩＤをアクセスネットワークノード２アップリンクトンネルのエンドポイントとする。
【００４７】
５、制御プレーンがＥＧＷへトンネル更新要求を送信し、該ＣＧＷのＩＰアドレスとトンネルＩＤをＥＧＷのアップリンクトンネルのエンドポイントとし、アクセスネットワークノード２のＩＰアドレスとトンネルＩＤをＥＧＷのダウンリンクトンネルエンドポイントとし、つまり第２種類のパスを確立する。
【００４８】
６、制御プレーンがアクセスネットワークノード２へパス切替応答を送信し、ｈａｎｄｏｖｅｒ過程を完了したと確認する。
【００４９】
以上の実施例プロセスは端末付着プロセスまで対応して拡張されてもよい。以上のアクセスネットワークノードは第三者アクセス基地局に拡張されてもよい（例えば、第三者ＷＬＡＮに基づいてＥＧＷを選択する）。
【００５０】
例２
端末が移動するため、第２転送プレーン（例えば、図中のエッジゲートウェイＥＧＷ）の動的削除が発生する場合、図７に示すように、そのプロセスは以下のとおりである。
【００５１】
１、端末（ＵＥ）が図示の１つのシリアル伝送チャネルを既に確立している。ローカルバイパスデータがアクセスネットワークノード１、ＥＧＷを介してエッジネットワークに到達し、他のデータがアクセスネットワークノード１、ＥＧＷ、ＣＧＷを介してコアＰＤＮネットワークに到達し、つまり第２種類のパスを既に確立している。
【００５２】
２、端末がアクセスネットワークノード２のカバレッジ範囲に移動した場合、アクセスネットワークノード２が制御プレーンに対して切替要求を開始する。この切替要求にアクセスネットワークノード２の位置に関する情報を含む。
【００５３】
３、制御プレーン（具体的に、例えば、接続管理装置）はアクセスネットワークノード２の位置に関する情報によって該エリアにＥＧＷを設定したかどうかを判断する。ＥＧＷを設定しない場合、対応するトンネルリンクの調整を行う。制御プレーンがＣＧＷへトンネル更新要求を送信し、該アクセスネットワークノード２のＩＰアドレスとトンネルＩＤをＣＧＷのダウンリンクトンネルのエンドポイントとする。
【００５４】
４、制御プレーンがアクセスネットワークノード２へトンネル更新要求を送信し、該ＣＧＷのＩＰアドレスとトンネルＩＤをアクセスネットワークノード２アップリンクトンネルのエンドポイントとする。
【００５５】
５、制御プレーンがＥＧＷへトンネル更新要求を送信し、ＥＧＷの関連トンネルリソースを解放し、つまり第２種類のパスから第１種類のパスに切り替える。
【００５６】
６、制御プレーンがアクセスネットワークノード２へパス切替応答を送信し、ｈａｎｄｏｖｅｒ過程を完了したと確認する。
【００５７】
例３
ＵＥがＩｄｌｅ状態で移動して、ＥＧＷのカバレッジエリアに入るとき、ｉｄｌｅ状態からａｃｔｉｖｅ状態になる場合、図８に示すように、そのＥＧＷの加入プロセスは以下のとおりである。
【００５８】
１、制御プレーンがＣＧＷへトンネル作成又は更新要求を送信し、該ＥＧＷのＩＰアドレスとトンネルＩＤをＣＧＷのダウンリンクトンネルのエンドポイントとする。
【００５９】
２、制御プレーンがアクセスネットワークノードへトンネル作成要求を送信し、該ＥＧＷのＩＰアドレスとトンネルＩＤをアクセスネットワークノードのアップリンクトンネルエンドポイントとする。
【００６０】
３、４、制御プレーンがＥＧＷへトンネル作成要求を送信し、該ＣＧＷのＩＰアドレスとトンネルＩＤをアップリンクトンネルエンドポイントとし、アクセスネットワークノードのＩＰアドレスとトンネルＩＤをダウンリンクトンネルエンドポイントとし、つまり第１種類のパスから第２種類のパスに切り替える。
【００６１】
５、制御プレーンがアクセスネットワークノード２へパス切替完了応答を送信し、ｈａｎｄｏｖｅｒ過程を完了したと確認する。
【００６２】
例４
ＵＥがＩｄｌｅ状態で移動して、ＥＧＷのカバレッジエリアを離れる場合、図９に示すように、そのＥＧＷの削除プロセスは以下のとおりである。
【００６３】
１、ＵＥが移動するため、位置追跡エリアが変化し、位置更新メッセージを開始する。
【００６４】
２、制御プレーンが位置更新メッセージ及び新しい位置エリアに基づいてＭＥＣエリアを離れたと判断した後、制御プレーンがＥＧＷへトンネル削除要求を送信し、関連するトンネルリソースを解放する。
【００６５】
３、制御プレーンがＣＧＷへトンネル削除要求を送信し、関連するトンネルリソースを解放し、つまり第２種類のパスから第１種類のパスに切り替える。
【００６６】
例５
端末装置の位置及びサービスタイプの２つの関連情報を同時に考慮して判断してもよく、
例えば、端末装置の現在位置に対応するアクセスネットワークが第２転送プレーン及び端末装置のサービスタイプを有するかどうかを同時に考慮して、パス切替をトリガーするかどうかを総合的に判断してもよい。具体的な説明は以下のとおりである。
【００６７】
前記端末装置に対応するサービスタイプを第１サービスタイプから第２サービスタイプに切り替え、且つこの時端末装置の所在するアクセスネットワークに第２転送プレーンでカバレッジされる場合、前記端末装置と第１転送プレーンとの間の接続パスを第１種類のパスから第２種類のパスに調整することを確定することができる。
【００６８】
上記の考案を用いることにより、少なくとも端末装置の位置に対応するアクセスネットワークに基づいて側末装置と第１転送プレーンとの間のパスタイプを調整するかどうかを確定することができ、具体的には、パスタイプは第１転送プレーンに直接接続する第１種類のパスと、第２転送プレーンを介して第１転送プレーンにホッピングする第２種類のパスと、を含んでもよいと理解される。このように、ネットワークアーキテクチャの柔軟性及び高効率を実現することができ、ローカルバイパスを行わないとき、最小のホップカウントで１つのゲートウェイ処理を実現して、しかもネットワーク側のみでパスタイプの設定を行うだけでよく、端末装置側が多くの設定を必要とせず、エッジネットワークデータのアクセスを実現することができる。
【実施例２】
【００６９】
実施例１との相違点は以下のとおりである。本実施例は主に第２種類のトリガーケースを説明し、少なくとも前記端末装置の位置に対応するアクセスネットワークに基づいて前記端末装置と第１転送プレーンとの間の接続パスのタイプを調整するかどうかを確定することは、本実施例に係るシーンでは、端末装置のサービスタイプのみに基づいてパス切替をトリガーするかどうかを判断してもよいが、アクセスネットワークのカバレッジ範囲に第２転送プレーンが存在するかどうかが主に考慮すべき要素ではなく、アクセスネットワークが第２転送プレーンを有し、端末装置のサービスタイプがパス最適化をトリガーする必要があると仮定する場合、端末装置に第２種類のパスを提供するために、アクセスネットワークに論理的に近い第２転送プレーンから接続を確立することができ、具体的な説明は以下のとおりである。前記端末装置に対応するサービスタイプを第１サービスタイプから第２サービスタイプに切り替えた場合、前記端末装置と第１転送プレーンとの間の接続パスを第１種類のパスから第２種類のパスに調整することを確定し、
【００７０】
前記第１サービスタイプが前記第２サービスタイプと異なり、前記第２サービスタイプがローカルサービスをバイパスする必要があるサービスタイプであり、前記第１サービスタイプがローカルサービスをバイパスする必要がないサービスタイプである。
【００７１】
更に、前記端末装置の位置に対応するアクセスネットワーク及び前記端末装置のサービスタイプに基づいて前記端末装置と第１転送プレーンとの間の接続パスのタイプを調整するかどうかを確定する前に、前記方法は、更に、前記端末装置が位置している場所で第１種類のパスを介して前記コアネットワークと接続を確立することを含み、
【００７２】
それに対応して、前記端末装置の位置に対応するアクセスネットワーク及び前記端末装置のサービスタイプに基づいて前記端末装置と第１転送プレーンとの間の接続パスのタイプを調整するかどうかを確定することは、前記端末装置の位置に対応するアクセスネットワークはローカルサービスアクセスパスを最適化できる第２転送プレーンを有し、且つ前記端末装置に対応するサービスタイプを第１サービスタイプから第２サービスタイプに切り替えると検出した場合、前記端末装置と第１転送プレーンとの間の接続パスを第１種類のパスから第２種類のパスに調整することを確定することを含み、
前記第１サービスタイプが前記第２サービスタイプと異なり、前記第２サービスタイプがローカルサービスをバイパスする必要があるサービスタイプであり、前記第１サービスタイプがローカルサービスをバイパスする必要がないサービスタイプである。
【００７３】
つまり、接続管理装置はＵＥがエッジ又はローカルサービスを開始することを知ったとき、アクセスネットワークとコアネットワークゲートウェイとの接続更新をトリガーし、第２転送プレーン（例えば、エッジゲートウェイＥＧＷ）の機能に動的に加入し、ＵＥとＥＧＷとの接続を確立し、案における図４ｂに示すネットワークアーキテクチャを形成する。
【００７４】
前記端末装置と第１転送プレーンとの間の接続パスを第１種類のパスから第２種類のパスに調整した後、前記端末装置が最後に第２サービスタイプの情報交換を完了した後から現在時刻までの、第２サービスタイプの情報交換を停止する時間長を検出し、
前記時間長が所定時間長閾値を超える場合、前記端末装置と第１転送プレーンとの間の接続パスを前記第２種類のパスから第１種類のパスに調整することを確定する。
【００７５】
接続管理装置（ネットワーク側制御プレーン）は第２転送プレーンを有する１つのＵＥが所定期間内にエッジネットワークのサービスにアクセスしないと感知した場合、パスからエッジネットワークゲートウェイを削除し、つまり第２種類のパスから第１種類のパスに切り替える。
【００７６】
接続管理装置が端末装置のエッジ又はローカルサービスにアクセスすることを把握する方式は以下の方式の少なくとも１つを含む。
【００７７】
第１方式は、前記端末装置の報告したサービスタイプ情報によって、前記端末装置を第１サービスタイプから第２サービスタイプに切り替えるかどうかを確定する。つまり、ＵＥは、ＵＥが制御プレーンに送信したシグナリングにサービスタイプ情報を含み、ネットワーク側がサービスタイプ情報によって該ＵＥのサービスのエッジ又はローカルネットワークへのアクセスに適すると判断する場合、ＥＧＷ接続を確立するということをネットワークに通知する。
【００７８】
第２方式は、接続管理装置がネットワーク側から端末のサービスアクセスパスを最適化する必要があると感知する。具体的に、接続管理装置はＵＥのサービスがエッジ又はローカルネットワークへのアクセスに適すると感知し、例えば、ユーザプレーンがユーザのアクセスしたサービス目標アドレス等に基づいてユーザプレーンを介して制御プレーンに該ユーザのＩＰアドレスを通知する。
【００７９】
第３方式、前記端末装置の利用したサービスに対応するサーバ側から送信される通知情報を受信することにより端末装置のサービスタイプを確定し、例えば、直接又は能力開放インターフェースを介してあるユーザがエッジネットワークへのリンクを確立する必要があることをネットワークに通知する。
【００８０】
接続管理装置はコア層に接続する端末装置のみがエッジ（又はローカル）ネットワークへのデータチャネルを確立し又はパケットをエッジでバイパスする必要があると感知した場合、コアネットワーク制御プレーンが第２転送プレーン（又はユーザプレーンのネットワーク機能）を既存のデータチャネルに加入するようにトリガーして、トンネルを更新する。エッジネットワークでルーティングすべきデータを第２転送プレーンによって転送及びバイパスさせ、他のデータストリームを第２転送プレーンによってコア層ゲートウェイに到達させ、更にコアＰＤＮネットワークに到達させる。端末がこの過程においてネットワークの変化を感知しない。ネットワークは第２転送プレーンを有する接続がエッジネットワークデータチャネルを必要としないと感知した場合、ネットワークが接続パスの更新をトリガーし、伝送パスから第２転送プレーン（例えば、エッジゲートウェイＥＧＷ）を削除する。すべてのデータを１ホップによってＰＤＮネットワークにアクセスさせることができる。
【００８１】
ＵＥにデータサービスが発生し、ネットワークは第２転送プレーン（例えば、エッジゲートウェイＥＧＷ）を導入してデータチャネルを最適化する必要があると判断する場合、第２転送プレーンの加入をトリガーして制御プレーンがアクセスネットワークに対してセッション更新プロセスを開始し、ＥＧＷアップリンクトンネルのＩＰアドレスとトンネルＩＤをアクセスネットワークのアップリンクトンネルエンドポイントとしてアクセスネットワークに通知し、ＥＧＷダウンリンクトンネルのＩＰアドレスとトンネルＩＤをＣＧＷのダウンリンクトンネルエンドポイントとしてＣＧＷに通知する。
【００８２】
該端末装置が所定期間内にローカルにキャッシュされているサービスにアクセスすることがないと判断する場合、ＥＧＷ削除ステップをトリガーすることは、具体的に、下記のＡとＢを含むことができる。
【００８３】
Ａ）アクセスネットワーク（目標アクセス装置）に対してセッション更新プロセスを開始し、ＣＧＷのアップリンクトンネルのＩＰアドレスとトンネルＩＤをアクセスネットワークのアップリンクトンネルエンドポイントとすることをアクセスネットワーク（目標アクセス装置）に通知する。
【００８４】
Ｂ）アクセスネットワーク（目標アクセス装置）のダウンリンクトンネルのＩＰアドレスとトンネルＩＤをＣＧＷのダウンリンクトンネルエンドポイントとすることをＣＧＷに通知する。
【００８５】
以下、図面を参照しながら本実施例に係るシーンを例示的に説明する。
【００８６】
例１
ネットワーク側がＵＥの開始したサービスをローカルバイパスしてもよいと判断する場合、図１０に示すように、そのＥＧＷ加入プロセスは以下のとおりである。
【００８７】
１、端末（ＵＥ）が元アクセスネットワークノード１、ＣＧＷを介してコアＰＤＮネットワークに到達するデータ伝送チャネルを既に確立しており、つまり第１種類のパスを既に確立している。つまり、ＵＥがアクセスネットワークのアクセス装置によって第１転送プレーンと第１種類のパスを既に確立している。
【００８８】
２、端末ＵＥがサービス確立要求を開始するとき、サービスタイプ情報を制御プレーンに携帯する。ネットワーク制御プレーンが該サービスタイプをローカルバイパスできるかどうかを判断する。該サービスがＭＥＣサービスである場合、端末からＥＧＷまで、更にＣＧＷまでの図２に示すネットワーク接続を確立する。ステップ３、４、５、６は図６（つまり、実施例１の例１）と同様であるため、ここで詳細な説明は省略する。
【００８９】
また、ステップ２は、制御プレーンがＣＧＷと対話し、端末がＭＥＣサービスにアクセスするかどうかを判断し、そうである場合、ステップ３、４、５が図４に一致するということであってもよい。
【００９０】
ステップ２は、制御プレーンが能力開放プラットフォームのインターフェースと対話し、該端末がＭＥＣサービスにアクセスするかどうかを判断し、ＹＥＳの場合、ステップ３、４、５が図４に一致するということであってもよい。
【００９１】
例２
ネットワーク側はＵＥの開始したサービスのローカルバイパスが既に終了したと判断する場合、図１１に示すように、そのＥＧＷ削除プロセスは以下のとおりである。
【００９２】
１、端末（ＵＥ）が図示の１つのシリアル伝送チャネルを既に確立している。ローカルバイパスデータがアクセスネットワークノード１、ＥＧＷを介してエッジネットワークに到達し、他のデータがアクセスネットワークノード１、ＥＧＷ、ＣＧＷを介してコアＰＤＮネットワークに到達し、つまり第２種類のパスを既に確立している。
【００９３】
２、制御プレーンがＥＧＷへサービス検出要求を送信し、端末にＭＥＣサービスが実行されているかどうかを検出する。ＥＧＷがＭＥＣサービスの既に終了したことを制御プレーンに応答する。制御プレーンがプロセスをトリガーし、該ＥＧＷを削除する。３、４、５、６は図７（実施例１の例２）のステップに一致する。
【００９４】
ステップ２は、制御プレーンが能力開放インターフェースと対話し、該端末のＭＥＣサービスへのアクセスを終了したかどうかを判断し、終了した場合、ステップ３、４、５が図５に一致するということであってもよい。
【００９５】
端末が第２転送プレーン（例えば、エッジゲートウェイＥＧＷ）のサービス中のエリア（ＭＥＣ）に移動した場合、ネットワーク制御プレーンがトンネル更新に関連するプロセス、例えば接続状態における切替又は端末の開始したセッションの確立プロセスにおいてＥＧＷをユーザプレーントンネルのパスに動的に導入する。つまり、ＡＮ<->ＣＧＷからＡＮ<->ＥＧＷ<->ＣＧＷになる。
【００９６】
切替メッセージプロセスにおいて、ＥＧＷのダウンリンク識別情報をＣＧＷのダウンリンクトンネルエンドポイントとしてＣＧＷに通知し、ＥＧＷのアップリンク識別情報をアクセスネットワークのアップリンクトンネルエンドポイントとしてアクセスネットワークに通知し、ＥＧＷのダウンリンク識別情報がダウンリンクトンネルのＩＰアドレスとトンネルＩＤであってもよいが、それらに限らず、ＥＧＷのアップリンク識別情報がアップリンクトンネルのＩＰアドレスとトンネルＩＤであってもよいが、それらに限らない。
【００９７】
端末がＭＥＣエリアを離れた場合、ネットワーク制御プレーンがトンネル更新に関連するプロセス、例えば接続状態における切替又は端末の開始したセッションの確立プロセスにおいて、ＡＮからコア側ゲートウェイまでの直通トンネル、即ちＡＮ<->ＣＧＷを確立する。
【００９８】
制御プレーンは、アクセスネットワークに対応する識別情報をＣＧＷのダウンリンクトンネルエンドポイントとしてＣＧＷに通知し、ＣＧＷの識別情報をアクセスネットワークのアップリンクトンネルエンドポイントとしてアクセスネットワークに通知し、アクセスネットワークに対応する識別情報がトンネルＩＤ及びＩＰアドレスであってもよいが、それらに限らず、ＣＧＷの識別情報がＩＰアドレス及びトンネルＩＤであってもよいが、それらに限らない。
【００９９】
上記直通トンネル又はＥＧＷを経由とするトンネルは、ＵＥが移動し、ＵＥが関連プロセスを開始する際に切り換える以外、ネットワークが更にユーザサービスに基づいて判断し、ネットワーク側によって２種類のトンネル同士の切替をトリガーしてもよい。
【０１００】
ネットワーク側がサービスタイプによって第２転送プレーンを導入してデータチャネルを最適化する必要があると判断し、つまり
ＵＥは、ＵＥが制御プレーンに送信したシグナリングにサービスタイプ情報を含み、ネットワーク側がサービスタイプ情報によって該ＵＥのサービスのエッジ又はローカルネットワークへのアクセスに適すると判断する場合、ＥＧＷ接続を確立するということをネットワークに通知する。
【０１０１】
ネットワークはＵＥサービスがエッジ又はローカルネットワークへのアクセスに適すると自己感知し、例えば、ユーザプレーンがユーザのアクセスしたサービス目標アドレス等に基づいてＵＥサービスがエッジ又はローカルネットワークへのアクセスに適すると感知する。ユーザプレーンが制御プレーンに該ユーザのＩＰアドレスを通知する。
【０１０２】
サービス側は直接又は能力開放インターフェースを介してあるユーザがエッジネットワークへのリンクを確立する必要があることをネットワークに通知する。
【０１０３】
従来技術に比べて、本実施例の端末はセッション接続時、ＭＥＣ（又はローカルバイパス）を実現するために複数のＩＰアドレスを導入する必要がなく、１つのＩＰアドレスアンカーがあればよい。端末がＥＧＷカバレッジ範囲を超え、又はネットワークがローカルバイパスする必要がないと判断する場合、ＥＧＷが動的に削除され、それによりパケットが１つのＣＧＷ、１ホップによってコアＰＤＮネットワークにアクセスすることができ、ネットワークのフラット化特性を維持する。端末がＥＧＷカバレッジ範囲にあって、ネットワークがローカルバイパスする必要があると判断する場合、ＥＧＷがネットワークに動的に加入し、それによりローカルバイパスを実現する。端末を感知しなくてもよく、端末の挙動を簡素化するとともに、ネットワークがエッジトラフィック転送ポリシーを統合設定及び管理することにも役立つ。
【０１０４】
上記の考案を用いることにより、少なくとも端末装置の位置に対応するアクセスネットワークに基づいて端末装置と第１転送プレーンとの間のパスタイプを調整するかどうかを確定することができ、具体的には、パスタイプは第１転送プレーンに直接接続する第１種類のパスと、第２転送プレーンによって第１転送プレーンにホッピングする第２種類のパスと、を含んでもよいと理解される。このように、ネットワークアーキテクチャの柔軟性及び高効率を実現することができ、ローカルバイパスを行わないとき、最小のホップカウントで１つのゲートウェイ処理を実現して、端末装置側が多くの設定を必要とせず、エッジネットワークデータのアクセスを実現することができる。
【実施例３】
【０１０５】
本発明の実施例は接続管理装置を提供し、図１２に示すように、前記接続管理装置は、
端末装置の関連情報を検出する情報取得ユニット１２０１と、
前記端末装置の関連情報に基づいて前記端末装置と第１転送プレーンとの間の接続パスのタイプを調整するかどうかを確定するパス調整ユニット１２０２と、を含み、
前記端末装置と第１転送プレーンとの間の接続パスのタイプは少なくとも前記端末装置がアクセスネットワークによって第１転送プレーンと直接確立する第１種類のパスと、前記端末装置が前記アクセスネットワークによって第２転送プレーンを介して第１転送プレーンと確立する第２種類のパスと、を含む。
【０１０６】
前記端末装置の関連情報は端末装置の位置及び／又は前記端末装置の現在のサービスタイプを含む。
【０１０７】
情報取得ユニット１２０１は、端末装置の現在位置及び／又は前記端末装置の現在のサービスタイプを取得することに用いられ、
パス調整ユニット１２０２は、前記端末装置の現在位置及び／又は前記端末装置の現在のサービスタイプに基づいて前記端末装置と第１転送プレーンとの間の接続パスのタイプを調整するかどうかを確定することに用いられ、
前記端末装置と第１転送プレーンとの間の接続パスのタイプは少なくとも前記端末装置がアクセスネットワークによって第１転送プレーンと直接確立する第１種類のパスと、前記端末装置が前記アクセスネットワークによって第２転送プレーンを介して第１転送プレーンと確立する第２種類のパスと、を含む。
【０１０８】
ここで、前記接続管理装置は主にコアネットワークに設置され、具体的に、１つのモジュールがコアネットワークにおけるあるデバイスに設置され、例えば、コアネットワークにおけるＭＭＥに設置されるように実現されてもよい。
【０１０９】
端末装置の前記現在位置を取得する方式は、前記端末装置の現在アクセス中のアクセス装置を検出し、該アクセス装置の識別情報（例えばアクセス装置のＩＤ番号）を取得することと、前記アクセス装置の識別情報に基づいて前記アクセス装置に対応するエリアを確定する（例えば、コアネットワーク側はアクセス装置の識別情報によって前記アクセス装置に対応するエリアコードを確定することができる）ことと、前記アクセス装置に対応するエリアに基づいて前記端末装置の現在位置を確定することと、を含んでもよい。
【０１１０】
前記アクセス装置は基地局であってもよいし、アクセスポイント（ＡＰ）等の端末装置に直接アクセス方式を提供するための装置であってもよい。
【０１１１】
具体的には、上記の考案では、端末装置の位置の変化に応じて、端末装置がローカルサービスをバイパスできるアクセスネットワークにあるかどうかを判断することにより、端末装置のパスタイプを調整するかどうかを確定する第１種類のトリガーケース、端末装置にローカルサービスをバイパスする必要があるかどうかによって、端末装置がパスタイプの調整を行うかどうかを判断する第２種類のトリガーケースの２種類のトリガーケースがあってもよい。
【０１１２】
本実施例は主に上記第１種類のトリガーケースに関するものであり、端末がセッション接続を行うとき、１つのみのコア側ゲートウェイ向けのセッション接続を確立すると初期設定され、ＵＥがローカルバイパスをサポートできるゲートウェイの範囲内に移動したとき、制御プレーンによって新しいトンネルの確立を開始し、それにより該ＥＧＷを既存のセッションに加入し、つまり第１種類のパスから第２種類のパスに切り替え、端末がＥＧＷのカバレッジ範囲を離れたとき、制御プレーンは新しいトンネル確立メカニズムをトリガーして、ＥＧＷをセッションパスから削除し、第２種類のパスを確立して第１種類のパスを削除することができる。
【０１１３】
シーン１
前記接続管理装置は、更に、前記端末装置が第１アクセス装置によって前記第１転送プレーンと第１種類のパスを確立することを確定するためのパス管理ユニット１２０３を含み、前記第１アクセス装置が前記端末装置の現在位置でアクセスしようとする目標アクセス装置と異なり、前記第１アクセス装置に対応するカバレッジ範囲に第２転送プレーンが存在せず又は前記第１アクセス装置に対応するカバレッジ範囲が第２転送プレーンへのアクセスに適していなく、
それに対応して、前記パス調整ユニット１２０２は、前記端末装置の現在位置で第２転送プレーンにアクセスできるか、又は前記端末装置の適する第２転送プレーンにアクセスできる場合、前記端末装置と前記第１転送プレーンとの間のパスを第１種類のパスから第２種類のパスに調整することを確定することに用いられる。つまり、コアネットワーク側は端末装置の現在位置（例えばエリアコード）に基づいて該位置にはローカルサービスアクセスパスを最適化できる第２転送プレーンが存在するかどうかを確定することができる。
【０１１４】
該シーンでは、端末装置が初回ネットワークにアクセスするとき、接続管理装置は端末装置の所在するアクセスネットワークに第２転送プレーンが存在するかどうかによって、端末装置の初回確立したパスタイプを確定することができ、アクセスネットワークに第２転送プレーンが存在せず又はアクセスネットワークが第２転送プレーンへのアクセスに適しない場合、端末装置が初回ネットワークにアクセスするとき、第１種類のパスを確立し、図４ａに示すように、第１転送プレーンと接続を直接確立し、アクセスネットワークが第２転送プレーン（例えば、図中のエッジゲートウェイＥＧＷ）を有する場合、端末装置が初回ネットワークにアクセスするとき、図４ｂに示す第２種類のパスを確立し、第２転送プレーン（例えば、図中のエッジゲートウェイＥＧＷ）を介して第１転送プレーン（例えば図中のコアゲートウェイ（ＣＧＷ））と接続を確立すると理解すべきである。
【０１１５】
端末装置例えばＵＥが新しい位置に移動した後、制御プレーン（すなわち接続管理装置）はアクセスネットワークの現在位置を取得し、現在第２転送プレーンが存在するかどうかを判断し、第２転送プレーンが存在する場合、制御プレーンが現在アクセスネットワークの識別子（例えば、アクセス基地局のＩＤ又は位置エリア情報例えばＴＡ）によって第２転送プレーン情報（例えばそのＩＰアドレス）を取得し、対応するトンネルを確立する。
【０１１６】
前記端末装置と前記第１転送プレーンとの間のパスを第１種類のパスから第２種類のパスに調整することを確定した後、前記端末装置のために対応する第２転送プレーンを選択し、第２転送プレーンのダウンリンク識別情報を第１転送プレーンに送信して、前記第２転送プレーンのアップリンク識別情報をアクセスネットワーク側に送信することにより、前記端末装置が前記第２転送プレーンを介して前記第１転送プレーンに接続する第２種類のパスを確立する。
【０１１７】
つまり、第１種類のパスを第２種類のパスに調整することを確定した後、更にパスタイプの調整を行うことを端末装置に通知して、チャネルにデバイスのアクセスしようとする第２転送プレーンを通知する必要がある。
【０１１８】
具体的には、端末装置が接続状態で移動した場合、切替メッセージに第２転送プレーン（例えば、エッジゲートウェイＥＧＷ）を基地局と第１転送プレーン（例えばコアゲートウェイ（ＣＧＷ））トンネルの相手側とすることは、
ＥＧＷダウンリンクトンネルのＩＰアドレスとトンネルＩＤをＣＧＷのダウンリンクトンネルエンドポイントとしてＣＧＷに通知することと、ＥＧＷアップリンクトンネルのＩＰアドレスとトンネルＩＤをアクセスネットワークのアップリンクトンネルエンドポイントとしてアクセスネットワークに通知することと、を含んでもよい。
【０１１９】
端末装置がアイドル（ＩＤＬＥ）モードで非ＭＥＣエリアからＭＥＣエリアに移動した場合、ＵＥがサービスを能動的に開始し又はダウンリンクデータがネットワークに到達してページングを行った後、ＵＥがセッション確立を開始するようにトリガーするとき、ネットワークが現在位置に基づいて接続を更新するかどうかを判断する。接続を更新する必要がある場合、制御プレーンが作成されたばかりのＣＧＷとアクセスネットワーク（ＡＮ：Ａｃｃｅｓｓ  Ｎｅｔｗｏｒｋ）との間のトンネルではなく、確立された１つのＡＮ、ＥＧＷ、ＣＧＷ間のトンネルである。
【０１２０】
シーン２
シーン１との相違点は、シーン１が第１種類のパスを第２種類のパスに調整することを説明したが、該シーンでは第２種類のパスを第１種類のパスに調整することを説明することである。
【０１２１】
パス管理ユニットは、前記端末装置が第２アクセス装置によって前記第１転送プレーンと第２種類のパスを確立することに用いられ、前記第２アクセス装置が前記端末装置の現在位置でアクセスしようとする目標アクセス装置と異なり、前記第２アクセス装置の位置に第２転送プレーンが存在し、又は端末装置のアクセスに適する第２転送プレーンが存在し、
それに対応して、前記パス調整ユニットは、前記端末装置の現在位置に第２転送プレーンが存在せず又は前記端末装置のアクセスに適する第２転送プレーンが存在しない場合、前記端末装置と前記第１転送プレーンとの間のパスを第２種類のパスから第１種類のパスに調整することを確定することに用いられる。
【０１２２】
前記パス調整ユニットは、前記端末装置と前記第１転送プレーンとの間のパスを第２種類のパスから第１種類のパスに調整することを確定した後、アクセスネットワークに対応する識別情報を第１転送プレーンに通知し、前記第１転送プレーンの識別情報を前記アクセスネットワークに通知することにより、前記端末装置と前記第１転送プレーンとの間の第１種類のパスを確立することに用いられる。
【０１２３】
端末装置が新しい位置に移動した後、アクセスネットワークの現在位置によって、制御プレーンが現在セッションの第２転送プレーン（例えば、エッジゲートウェイＥＧＷ）を必要としないと判断する場合、その接続更新に中間ＥＧＷ情報を含まず、ユーザプレーンのデータチャネルがＡＮとＣＧＷとの直接通信となる。
【０１２４】
具体的には、接続状態で、ＭＥＣエリアからＭＥＣ外部エリアまでの切替メッセージが発生するとき、直接アクセスネットワークとＣＧＷとを相手のトンネル相手側とし、つまり、アクセスネットワークに対応するトンネルＩＤとＩＰをＣＧＷのダウンリンクトンネルエンドポイントとしてＣＧＷに通知し、ＣＧＷトンネルのＩＰアドレスとトンネルＩＤをアクセスネットワークのアップリンクトンネルエンドポイントとしてアクセスネットワークに通知する。
【０１２５】
ＵＥがアイドル状態でＭＥＣ外部エリアに移動した場合、ネットワークが位置更新によってＥＧＷとＣＧＷとの間のユーザプレーントンネルを更に解放し、次回端末がアイドルからＡｃｔｉｖｅになるとき、新しいトンネルがＡＮとＣＧＷとの直接の１ホップのトンネルである。
【０１２６】
上記の考案を用いることにより、少なくとも端末装置の位置に対応するアクセスネットワークに基づいて端末装置と第１転送プレーンとの間のパスタイプを調整するかどうかを確定することができ、具体的には、パスタイプは第１転送プレーンに直接接続する第１種類のパスと、第２転送プレーンを介して第１転送プレーンにホッピングする第２種類のパスと、を含んでもよいと理解される。このように、ネットワークアーキテクチャの柔軟性及び高効率を実現することができ、ローカルバイパスを行わないとき、最小のホップカウントで１つのゲートウェイ処理を実現し、しかもネットワーク側のみでパスタイプの設定を行うだけでよく、端末装置側がより多くの設定をせずにエッジネットワークデータへのアクセスを実現することができる。
【実施例４】
【０１２７】
本実施例は主に第２種類のトリガーケースを説明し、前記パス調整ユニットは、前記端末装置の位置に対応するアクセスネットワーク及び前記端末装置のサービスタイプに基づいて前記端末装置と第１転送プレーンとの間の接続パスのタイプを調整するかどうかを確定することに用いられる。
【０１２８】
具体的には、前記端末装置の位置に対応するアクセスネットワーク及び前記端末装置のサービスタイプに基づいて前記端末装置と第１転送プレーンとの間の接続パスのタイプを調整するかどうかを確定する前に、パス管理ユニットは、前記端末装置が位置している場所で第１種類のパスを介して前記コアネットワークと接続を確立することを確定することに用いられ、
それに対応して、前記パス調整ユニットは、前記端末装置の位置に対応するアクセスネットワークはローカルサービスアクセスパスを最適化できる第２転送プレーンを有し、且つ前記端末装置に対応するサービスタイプを第１サービスタイプから第２サービスタイプに切り替えると検出した場合、前記端末装置と第１転送プレーンとの間の接続パスを第１種類のパスから第２種類のパスに調整することを確定することに用いられ、
【０１２９】
前記第１サービスタイプが前記第２サービスタイプと異なり、前記第２サービスタイプがローカルサービスをバイパスする必要があるサービスタイプであり、前記第１サービスタイプがローカルサービスをバイパスする必要がないサービスタイプである。
【０１３０】
前記パス調整ユニットは、前記端末装置と第１転送プレーンとの間の接続パスを第１種類のパスから第２種類のパスに調整した後、前記端末装置が最後に第２サービスタイプの情報交換を完了した後から現在時刻までの、第２サービスタイプの情報交換を停止する時間長を検出し、前記時間長が所定時間長閾値を超える場合、前記端末装置と第１転送プレーンとの間の接続パスを前記第２種類のパスから第１種類のパスに調整することを確定することに用いられる。
【０１３１】
つまり、前記パス調整ユニットは、ＵＥがエッジ又はローカルサービスを開始するとき、アクセスネットワークとコアネットワークゲートウェイとの接続更新をトリガーし、第２転送プレーン（例えば、エッジゲートウェイＥＧＷ）に動的に加入した機能を把握し、ＵＥとＥＧＷとの接続を確立し、考案が図４ｂに示されるネットワークアーキテクチャであるように形成することに用いられる。
【０１３２】
前記端末装置と第１転送プレーンとの間の接続パスを第１種類のパスから第２種類のパスに調整した後、前記端末装置が最後に第２サービスタイプの情報交換を完了した後から現在時刻までの、第２サービスタイプの情報交換を停止する時間長を検出し、
前記時間長が所定時間長閾値を超える場合、前記端末装置と第１転送プレーンとの間の接続パスを前記第２種類のパスから第１種類のパスに調整することを確定する。
【０１３３】
接続管理装置（ネットワーク側制御プレーン）は、第２転送プレーンを有する１つのＵＥが所定期間内にエッジネットワークのサービスにアクセスしないと感知した場合、パスからエッジネットワークゲートウェイを削除し、つまり第２種類のパスから第１種類のパスに切り替える。
【０１３４】
接続管理装置が端末装置のエッジ又はローカルサービスにアクセスすることを把握する方式は以下の少なくとも１つを含む。
【０１３５】
第１方式では、前記端末装置の報告したサービスタイプ情報によって、前記端末装置を第１サービスタイプから第２サービスタイプに切り替えるかどうかを確定する。つまり、ＵＥは、ＵＥが制御プレーンに送信したシグナリングにサービスタイプ情報を含み、ネットワーク側がサービスタイプ情報によって該ＵＥのサービスのエッジ又はローカルネットワークへのアクセスに適すると判断する場合、ＥＧＷ接続を確立するということをネットワークに通知する。
【０１３６】
第２方式では、接続管理装置がネットワーク側から端末のサービスアクセスパスを最適化する必要があると感知する。具体的に、接続管理装置はＵＥのサービスがエッジ又はローカルネットワークへのアクセスに適すると感知し、例えば、ユーザプレーンがユーザのアクセスしたサービス目標アドレス等に基づいてユーザプレーンを介して制御プレーンに該ユーザのＩＰアドレスを通知する。
【０１３７】
第３方式では、前記端末装置の利用したサービスに対応するサーバ側から送信される通知情報を受信することにより端末装置のサービスタイプを確定し、例えば、直接又は能力開放インターフェースを介してあるユーザがエッジネットワークへのリンクを確立する必要があることをネットワークに通知する。
【０１３８】
接続管理装置はコア層に接続する端末装置のみがエッジ（又はローカル）ネットワークへのデータチャネルを確立し又はパケットをエッジでバイパスする必要があると感知した場合、コアネットワーク制御プレーンが第２転送プレーン（又はユーザプレーンのネットワーク機能）を既存のデータチャネルに加入するようにトリガーして、トンネルを更新する。エッジネットワークでルーティングすべきデータを第２転送プレーンによって転送及びバイパスさせ、他のデータストリームを第２転送プレーンによってコア層ゲートウェイに到達させ、更にコアＰＤＮネットワークに到達させる。端末がこの過程においてネットワークの変化を感知しない。ネットワークは第２転送プレーンを有する接続がエッジネットワークデータチャネルを必要としないと感知した場合、ネットワークが接続パスの更新をトリガーし、伝送パスから第２転送プレーンＥＧＷを削除する。すべてのデータを１ホップによってＰＤＮネットワークにアクセスさせることができる。
【０１３９】
ＵＥにデータサービスが発生し、ネットワークは第２転送プレーン（例えば、エッジゲートウェイＥＧＷ）を導入してデータチャネルを最適化する必要があると判断する場合、第２転送プレーンの加入をトリガーして制御プレーンがアクセスネットワークに対してセッション更新プロセスを開始し、ＥＧＷアップリンクトンネルのＩＰアドレスとトンネルＩＤをアクセスネットワークのアップリンクトンネルエンドポイントとしてアクセスネットワークに通知し、ＥＧＷダウンリンクトンネルのＩＰアドレスとトンネルＩＤをＣＧＷのダウンリンクトンネルエンドポイントとして第１転送プレーン（例えば図中のコアゲートウェイ（ＣＧＷ））に通知する。
【０１４０】
該端末装置が所定期間内にローカルにキャッシュされているサービスにアクセスすることがないと判断する場合、ＥＧＷ削除ステップをトリガーすることは、具体的に、以下の内容を含んでもよい。
【０１４１】
前記パス管理ユニットは、アクセスネットワークに対してセッション更新プロセスを開始し、ＣＧＷのアップリンクトンネルのＩＰアドレスとトンネルＩＤをアクセスネットワークのアップリンクトンネルエンドポイントとしてアクセスネットワークに通知し、アクセスネットワークのダウンリンクトンネルのＩＰアドレスとトンネルＩＤをＣＧＷのダウンリンクトンネルエンドポイントとしてＣＧＷに通知することに用いられる。
【０１４２】
上記の考案を用いることにより、少なくとも端末装置の位置に対応するアクセスネットワークに基づいて端末装置と第１転送プレーンとの間のパスタイプを調整するかどうかを確定することができ、具体的には、パスタイプは第１転送プレーンに直接接続する第１種類のパスと、第２転送プレーンを介して第１転送プレーンにホッピングする第２種類のパスと、を含んでもよいと理解される。このように、ネットワークアーキテクチャの柔軟性及び高効率を実現することができ、ローカルバイパスを行わないとき、最小のホップカウントで１つのゲートウェイ処理を実現して、端末装置側がより多くの設定をせずにエッジネットワークデータへのアクセスを実現することができる。
【実施例５】
【０１４３】
本実施例は接続管理装置を提供し、図１３に示すように、前記接続管理装置は、
端末装置の関連情報を検出する通信インターフェース１３０１と、
前記端末装置の関連情報に基づいて前記端末装置と第１転送プレーンとの間の接続パスのタイプを調整するかどうかを確定するプロセッサ１３０２と、を備え、
前記端末装置と第１転送プレーンとの間の接続パスのタイプは少なくとも前記端末装置がアクセスネットワークによって第１転送プレーンと直接確立する第１種類のパスと、前記端末装置が前記アクセスネットワークによって第２転送プレーンを介して第１転送プレーンと確立する第２種類のパスと、を含む。
【０１４４】
具体的に、前記端末装置の関連情報は端末装置の位置及び／又は前記端末装置の現在のサービスタイプを含む。
【０１４５】
ここで、前記接続管理装置は主にコアネットワークに設置され、具体的に、１つのモジュールがコアネットワークにおけるあるデバイスに設置され、例えば、コアネットワークにおけるＭＭＥに設置されるように実現されてもよい。
【０１４６】
端末装置の前記現在位置を取得する方式は、前記端末装置の現在アクセス中のアクセス装置を検出し、該アクセス装置の識別情報（例えばアクセス装置のＩＤ番号）を取得することと、前記アクセス装置の識別情報に基づいて前記アクセス装置に対応するエリアを確定する（例えば、コアネットワーク側はアクセス装置の識別情報によって前記アクセス装置に対応するエリアコードを確定することができる）ことと、前記アクセス装置に対応するエリアに基づいて前記端末装置の現在位置を確定することと、を含んでもよい。
【０１４７】
前記アクセス装置は基地局であってもよいし、アクセスポイント（ＡＰ）等の端末装置に直接アクセス方式を提供するための装置であってもよい。
【０１４８】
具体的には、上記の考案では、端末装置の位置の変化に応じて、端末装置がローカルサービスをバイパスできるアクセスネットワークにあるかどうかを判断することにより、端末装置のパスタイプを調整するかどうかを確定する第１種類のトリガーケース、端末装置にローカルサービスをバイパスする必要があるかどうかによって、端末装置がパスタイプの調整を行うかどうかを判断する第２種類のトリガーケースの２種類のトリガーケースがあってもよい。
【０１４９】
第１種類のトリガーケース
端末がセッション接続を行うとき、１つのみのコア側ゲートウェイ向けのセッション接続を確立すると初期設定され、ＵＥがローカルバイパスをサポートできるゲートウェイの範囲内に移動したとき、制御プレーンによって新しいトンネルの確立を開始し、それにより該ＥＧＷを既存のセッションに加入し、つまり第１種類のパスから第２種類のパスに切り替え、端末がＥＧＷのカバレッジ範囲を離れたとき、制御プレーンは新しいトンネル確立メカニズムをトリガーして、ＥＧＷをセッションパスから削除し、第２種類のパスを確立して第１種類のパスを削除することができる。
【０１５０】
シーン１
前記プロセッサ１３０２は、前記端末装置が第１アクセス装置によって前記第１転送プレーンと第１種類のパスを確立することを確定し、前記第１アクセス装置が前記端末装置の現在位置でアクセスしようとする目標アクセス装置と異なり、前記第１アクセス装置に対応するカバレッジ範囲に第２転送プレーンが存在せず又は前記第１アクセス装置に対応するカバレッジ範囲が第２転送プレーンへのアクセスに適していなく、
前記端末装置の現在位置で第２転送プレーンにアクセスできるか、又は前記端末装置の適する第２転送プレーンにアクセスできる場合、前記端末装置と前記第１転送プレーンとの間のパスを第１種類のパスから第２種類のパスに調整することを確定する。つまり、コアネットワーク側は端末装置の現在位置（例えばエリアコード）に基づいて該位置にローカルサービスアクセスパスを最適化できる第２転送プレーンが存在するかどうかを確定することができる。
【０１５１】
該シーンでは、端末装置が初回ネットワークにアクセスするとき、接続管理装置は端末装置の所在するアクセスネットワークに第２転送プレーンが存在するかどうかによって、端末装置の初回確立したパスタイプを確定することができ、アクセスネットワークが第２転送プレーンを有せず又は第２転送プレーンへのアクセスに適しない場合、端末装置が初回ネットワークにアクセスするとき、第１種類のパスを確立し、図４ａに示すように、第１転送プレーンと接続を直接確立し、アクセスネットワークが第２転送プレーンを有する場合、端末装置が初回ネットワークにアクセスするとき、図４ｂに示す第２種類のパスを確立し、第２転送プレーンを介して第１転送プレーンと接続を確立すると理解すべきである。
【０１５２】
端末装置例えばＵＥが新しい位置に移動した後、制御プレーン（すなわち接続管理装置）はアクセスネットワークの現在位置を取得し、現在第２転送プレーンが存在するかどうかを判断し、第２転送プレーンが存在する場合、制御プレーンが現在アクセスネットワークの識別子（例えば、アクセス基地局のＩＤ又は位置エリア情報例えばＴＡ）によって第２転送プレーン（ＥＧＷ）情報（例えばそのＩＰアドレス）を取得し、対応するトンネルを確立する。
【０１５３】
前記端末装置と前記第１転送プレーンとの間のパスを第１種類のパスから第２種類のパスに調整することを確定する場合、前記端末装置のために対応する第２転送プレーンを選択し、第２転送プレーンのダウンリンク識別情報を第１転送プレーンに送信して、前記第２転送プレーンのアップリンク識別情報をアクセスネットワーク側に送信することにより、前記端末装置が前記第２転送プレーンを介して前記第１転送プレーンに接続する第２種類のパスを確立する。
【０１５４】
つまり、第１種類のパスを第２種類のパスに調整することを確定した後、更にパスタイプの調整を行うことを端末装置に通知して、チャネルにデバイスのアクセスしようとする第２転送プレーンを通知する必要がある。
【０１５５】
具体的には、端末装置が接続状態で移動した場合、切替メッセージに第２転送プレーン（例えば、ＥＧＷ）を基地局と第１転送プレーン（例えば、ＣＧＷ）トンネルの相手側とすることは、
ＥＧＷダウンリンクトンネルのＩＰアドレスとトンネルＩＤをＣＧＷのダウンリンクトンネルエンドポイントとしてＣＧＷに通知することと、ＥＧＷアップリンクトンネルのＩＰアドレスとトンネルＩＤをアクセスネットワークのアップリンクトンネルエンドポイントとしてアクセスネットワークに通知することと、を含んでもよい。
【０１５６】
端末装置がアイドル（ＩＤＬＥ）モードで非ＭＥＣエリアからＭＥＣエリアに移動した場合、ＵＥがサービスを動的に開始し又はダウンリンクデータがネットワークに到達してページングを行った後、ＵＥがセッション確立を開始するようにトリガーするとき、ネットワークが現在位置に基づいて接続を更新するかどうかを判断する。接続を更新する必要がある場合、制御プレーンが作成されたばかりのＣＧＷとアクセスネットワーク（ＡＮ：Ａｃｃｅｓｓ  Ｎｅｔｗｏｒｋ）との間のトンネルではなく、確立された１つのＡＮ、ＥＧＷ、ＣＧＷ間のトンネルである。
【０１５７】
シーン２
シーン１との相違点は、シーン１が第１種類のパスを第２種類のパスに調整することを説明したが、該シーンでは第２種類のパスを第１種類のパスに調整することを説明することである。
【０１５８】
前記プロセッサ１３０２は、前記端末装置が第２アクセス装置によって前記第１転送プレーンと第２種類のパスを確立し、前記第２アクセス装置が前記端末装置の現在位置でアクセスしようとする目標アクセス装置と異なり、前記第２アクセス装置の位置に第２転送プレーンが存在し又は端末装置のアクセスに適する第２転送プレーンが存在し、
前記端末装置の現在位置に第２転送プレーンが存在せず又は前記端末装置のアクセスに適する第２転送プレーンが存在しない場合、前記端末装置と前記第１転送プレーンとの間のパスを第２種類のパスから第１種類のパスに調整することを確定する。
【０１５９】
前記プロセッサ１３０２は、前記端末装置と前記第１転送プレーンとの間のパスを第２種類のパスから第１種類のパスに調整することを確定した後、アクセスネットワークに対応する識別情報を第１転送プレーンに通知し、前記第１転送プレーンの識別情報を前記アクセスネットワークに通知することにより、前記端末装置と前記第１転送プレーンとの間の第１種類のパスを確立する。
【０１６０】
端末装置が新しい位置に移動した後、アクセスネットワークの現在位置によって、制御プレーンが現在セッションの第２転送プレーンを必要としないと判断する場合、その接続更新に中間ＥＧＷ情報を含まず、ユーザプレーンのデータチャネルがＡＮとＣＧＷとの直接通信となる。
【０１６１】
具体的には、接続状態で、ＭＥＣエリアからＭＥＣ外部エリアまでの切替メッセージが発生するとき、直接アクセスネットワークとＣＧＷとを相手のトンネル相手側とし、つまり、アクセスネットワークに対応するトンネルＩＤとＩＰをＣＧＷのダウンリンクトンネルエンドポイントとしてＣＧＷに通知し、ＣＧＷトンネルのＩＰアドレスとトンネルＩＤをアクセスネットワークのアップリンクトンネルエンドポイントとしてアクセスネットワークに通知する。
【０１６２】
ＵＥがアイドル状態でＭＥＣ外部エリアに移動した場合、ネットワークが位置更新によってＥＧＷとＣＧＷとの間のユーザプレーントンネルを更に解放し、次回端末が再びアイドルからＡｃｔｉｖｅになるとき、新しいトンネルがＡＮとＣＧＷとの直接の１ホップのトンネルである。
【０１６３】
第２種類のトリガーケース
前記プロセッサ１３０２は、前記端末装置の位置に対応するアクセスネットワーク及び前記端末装置のサービスタイプに基づいて前記端末装置と第１転送プレーンとの間の接続パスのタイプを調整するかどうかを確定する。
【０１６４】
具体的には、前記端末装置の位置に対応するアクセスネットワーク及び前記端末装置のサービスタイプに基づいて前記端末装置と第１転送プレーンとの間の接続パスのタイプを調整するかどうかを確定する前に、パス管理ユニットは、前記端末装置が位置している場所で第１種類のパスを介して前記コアネットワークと接続を確立することを確定することに用いられ、
前記端末装置の位置に対応するアクセスネットワークはローカルサービスアクセスパスを最適化できる第２転送プレーンを有し、且つ前記端末装置に対応するサービスタイプを第１サービスタイプから第２サービスタイプに切り替えると検出した場合、前記端末装置と第１転送プレーンとの間の接続パスを第１種類のパスから第２種類のパスに調整することを確定し、
前記第１サービスタイプが前記第２サービスタイプと異なり、前記第２サービスタイプがローカルサービスをバイパスする必要があるサービスタイプであり、前記第１サービスタイプがローカルサービスをバイパスする必要がないサービスタイプである。
【０１６５】
前記プロセッサ１３０２は、前記端末装置と第１転送プレーンとの間の接続パスを第１種類のパスから第２種類のパスに調整した後、前記端末装置が最後に第２サービスタイプの情報交換を完了した後から現在時刻までの、第２サービスタイプの情報交換を停止する時間長を検出し、前記時間長が所定時間長閾値を超える場合、前記端末装置と第１転送プレーンとの間の接続パスを前記第２種類のパスから第１種類のパスに調整することを確定する。
【０１６６】
つまり、前記プロセッサ１３０２はＵＥがエッジ又はローカルサービスを開始するとき、アクセスネットワークとコアネットワークゲートウェイとの接続更新をトリガーし、第２転送プレーンに動的に加入した機能を把握し、ＵＥとＥＧＷとの接続を確立し、案における図４ｂに示すネットワークアーキテクチャを形成する。
【０１６７】
前記端末装置と第１転送プレーンとの間の接続パスを第１種類のパスから第２種類のパスに調整した後、前記端末装置が最後に第２サービスタイプの情報交換を完了した後から現在時刻までの、第２サービスタイプの情報交換を停止する時間長を検出し、
前記時間長が所定時間長閾値を超える場合、前記端末装置と第１転送プレーンとの間の接続パスを前記第２種類のパスから第１種類のパスに調整することを確定する。
【０１６８】
接続管理装置（ネットワーク側制御プレーン）は第２転送プレーンを有する１つのＵＥが所定期間内にエッジネットワークのサービスにアクセスしないと感知した場合、パスからエッジネットワークゲートウェイを削除し、つまり第２種類のパスから第１種類のパスに切り替える。
【０１６９】
接続管理装置が端末装置のエッジ又はローカルサービスにアクセスすることを把握する方式は以下の方式の少なくとも１つを含む。
【０１７０】
第１方式、前記端末装置の報告したサービスタイプ情報によって、前記端末装置を第１サービスタイプから第２サービスタイプに切り替えるかどうかを確定する。つまり、ＵＥは、ＵＥが制御プレーンに送信したシグナリングにサービスタイプ情報を含み、ネットワーク側がサービスタイプ情報によって該ＵＥのサービスのエッジ又はローカルネットワークへのアクセスに適すると判断する場合、ＥＧＷ接続を確立するということをネットワークに通知する。
【０１７１】
第２方式、前記プロセッサ１３０２は、ネットワーク側から端末のサービスアクセスパスを最適化する必要があると感知する。具体的に、接続管理装置はＵＥのサービスがエッジ又はローカルネットワークへのアクセスに適すると感知し、例えば、ユーザプレーンがユーザのアクセスしたサービス目標アドレス等に基づいてユーザプレーンを介して制御プレーンに該ユーザのＩＰアドレスを通知する。
【０１７２】
第３方式、前記端末装置の利用したサービスに対応するサーバ側から送信される通知情報を受信することにより端末装置のサービスタイプを確定し、例えば、直接又は能力開放インターフェースを介してあるユーザがエッジネットワークへのリンクを確立する必要があることをネットワークに通知する。
【０１７３】
接続管理装置はコア層に接続する端末装置のみがエッジ（又はローカル）ネットワークへのデータチャネルを確立し又はパケットをエッジでバイパスする必要があると感知した場合、コアネットワーク制御プレーンが第２転送プレーン（又はユーザプレーンのネットワーク機能）を既存のデータチャネルに加入するようにトリガーして、トンネルを更新する。エッジネットワークでルーティングすべきデータを第２転送プレーンによって転送及びバイパスさせ、他のデータストリームを第２転送プレーンによってコア層ゲートウェイに到達させ、更にコアＰＤＮネットワークに到達させる。端末がこの過程においてネットワークの変化を感知しない。ネットワークは第２転送プレーンを有する接続がエッジネットワークデータチャネルを必要としないと感知した場合、ネットワークが接続パスの更新をトリガーし、伝送パスから第２転送プレーンＥＧＷを削除する。すべてのデータを１ホップによってＰＤＮネットワークにアクセスさせることができる。
【０１７４】
ＵＥにデータサービスが発生し、ネットワークは第２転送プレーンを導入してデータチャネルを最適化する必要があると判断する場合、第２転送プレーンの加入をトリガーして制御プレーンがアクセスネットワークに対してセッション更新プロセスを開始し、ＥＧＷアップリンクトンネルのＩＰアドレスとトンネルＩＤをアクセスネットワークのアップリンクトンネルエンドポイントとしてアクセスネットワークに通知し、ＥＧＷダウンリンクトンネルのＩＰアドレスとトンネルＩＤをＣＧＷのダウンリンクトンネルエンドポイントとしてＣＧＷに通知する。
【０１７５】
該端末装置が所定期間内にローカルにキャッシュされているサービスにアクセスすることがないと判断する場合、ＥＧＷ削除ステップをトリガーすることは、具体的に、以下の内容を含んでもよい。
【０１７６】
前記パス管理ユニットは、アクセスネットワークに対してセッション更新プロセスを開始し、ＣＧＷのアップリンクトンネルのＩＰアドレスとトンネルＩＤをアクセスネットワークのアップリンクトンネルエンドポイントとしてアクセスネットワークに通知し、アクセスネットワークのダウンリンクトンネルのＩＰアドレスとトンネルＩＤをＣＧＷのダウンリンクトンネルエンドポイントとしてＣＧＷに通知することに用いられる。
【０１７７】
上記の考案を用いることにより、少なくとも端末装置の位置に対応するアクセスネットワークに基づいて端末装置と第１転送プレーンとの間のパスタイプを調整するかどうかを確定することができ、具体的には、パスタイプは第１転送プレーンに直接接続する第１種類のパスと、第２転送プレーンを介して第１転送プレーンにホッピングする第２種類のパスと、を含んでもよいと理解される。このように、ネットワークアーキテクチャの柔軟性及び高効率を実現することができ、ローカルバイパスを行わないとき、最小のホップカウントで１つのゲートウェイ処理を実現して、端末装置側がより多くの設定をせずにエッジネットワークデータへのアクセスを実現することができる。
【０１７８】
本発明の実施例の接続管理装置はプロセッサと、プロセッサで実行できるコンピュータプログラムを記憶するためのメモリと、を備え、
前記プロセッサは前記コンピュータプログラムを実行するとき、上記実施例１又は実施例２の方法のステップを実行することに用いられ、ここで詳細な説明は省略する。
【０１７９】
本発明の実施例はコンピュータ記憶媒体を提供し、前記コンピュータ記憶媒体にコンピュータ実行可能な命令が記憶され、前記コンピュータ実行可能な命令が実行されるとき、上記実施例１又は実施例２の方法のステップを実施する。
【０１８０】
本明細書において、用語「包括」「包含」又はその他の変形は非排他的包含を含むことを目的とし、このため、一連の要素を含む過程、方法、品物又は装置はそれらの要素を含むだけでなく、更に明確に列挙しない他の要素を含み、又は、更にこのような過程、方法、品物又は装置固有の要素を含むと説明すべきである。特に限定しない限り、語句「１つの……を含む」で限定された要素は、該要素を含む過程、方法、品物又は装置には更に他の同じ要素が存在することを排除しない。
【０１８１】
上記本発明の実施例の番号は説明のためのものに過ぎず、実施例の優劣を示すためのものではない。
【０１８２】
以上の実施形態についての説明によって、当業者は、上記実施例方法がソフトウェアと不可欠なユニバーサルハードウェアプラットフォームとの組み合わせによって実現されてもよく、当然ながら、ハードウェアによって実現されてもよいが、多くの場合にソフトウェアと不可欠なユニバーサルハードウェアプラットフォームとの組み合わせが好適な実施形態であると明確に理解される。このような理解に基づき、本発明の技術案の本質又は従来技術に貢献する部分はソフトウェア製品の形式で具現されてもよく、該コンピュータソフトウェア製品は、一つの端末装置（携帯電話、コンピュータ、サーバ、エアコン、又はネットワーク機器等であってもよい）に本発明の各実施例に記載の方法を実行させるための複数の命令を含む１つの記憶媒体（例えばＲＯＭ／ＲＡＭ、磁気ディスク、光ディスク）に記憶される。
【０１８３】
以上は本発明の好適な実施例であって、本発明の特許範囲を制限するためのものではなく、本発明の明細書及び図面内容を用いて行われる等価構造又は等価プロセス変換は、直接又は間接に他の関連する技術分野に応用され、いずれも同様に本発明の特許保護範囲に含まれる。
【図１】
2019530334.tif 000003
【図２】
2019530334.tif 000004
【図３】
2019530334.tif 000005
【図４ａ】
2019530334.tif 000006
【図４ｂ】
2019530334.tif 000007
【図５】
2019530334.tif 000008
【図６】
2019530334.tif 000009
【図７】
2019530334.tif 000010
【図８】
2019530334.tif 000011
【図９】
2019530334.tif 000012
【図１０】
2019530334.tif 000013
【図１１】
2019530334.tif 000014
【図１２】
2019530334.tif 000015
【図１３】
2019530334.tif 000016
【国際調査報告】
2019530334.tif 000017
2019530334.tif 000018
2019530334.tif 000019
2019530334.tif 000020